(57)【要約】分散されたネットワーク（１０）を介して一グループの通信装置を形成する装置が請求される。第１のノード（２２）は、第１の通信装置（１２）と第１のチャネルを確立する。少なくとも１つの第２のノードは、少なくとも１つの第２の通信装置と少なくとも１つの第２のチャネルを確立する。コントローラ（１８）は、第１のノード（２２）及び少なくとも１つの第２のノード（２４）に電気的に接続され、データベースモジュールを具備する。前記データベースモジュールは、前記グループの通信装置（１２，１４，１６，１７，２０）の各々の識別情報を具備する。前記コントローラは、前記グループの任意の単一の通信装置が各チャネルを介してパケットデータを前記グループの他の通信装置に送信することができるように、動的に構成可能である。
2004500774.tif 000002
【特許請求の範囲】
【請求項１】
通信システムにおいて、分散されたネットワークを介して一グループの通信装置を形成する装置であって、前記装置は、
第１の通信装置と第１のチャネルを確立するべく構成された第１のノードと、
少なくとも１つの第２の通信装置と少なくとも１つの第２のチャネルを確立するべく構成された少なくとも１つの第２のノードと、
前記第１のノード及び前記少なくとも１つの第２のノードに電気的に接続されたコントローラであって、前記コントローラはさらにデータベースモジュールを具備し、前記データベースモジュールは、前記グループの前記通信装置の各々の識別情報を具備し、前記コントローラは、前記グループの任意の単一の通信装置が各チャネルを介してパケットデータを前記グループの他の通信装置に送信することができるように、動的に構成可能であるコントローラと、
を具備する装置。
【請求項２】
前記パケットデータは、時間感応情報を含む請求の範囲第１項に記載の装置。
【請求項３】
前記通信装置の少なくとも１つは、ワイヤレス通信装置である請求の範囲第１項に記載の装置。
【請求項４】
前記コントローラはさらに、コアモジュールとネットモジュールとを具備し、前記コアモジュールは、前記通信装置の各々の識別を確立し、前記通信装置から前記ネットモジュールに情報を再先導し、前記ネットモジュールは、前記一グループの通信装置間で送信される情報を操作及び管理するように構成されている請求の範囲第１項に記載の装置。
【請求項５】
前記データベースモジュールは、前記コアモジュールの位置となるように構成されている請求の範囲第４項に記載の装置。
【請求項６】
前記コアモジュールはさらに、請求書発行（ｂｉｌｌｉｎｇ）ログモジュールを具備し、前記請求書発行ログモジュールは、前記通信装置間のアクティビティの履歴を維持する請求の範囲第４項に記載の装置。
【請求項７】
前記ネットモジュールはさらに、ローカルログモジュールを具備し、前記ローカルログモジュールは、前記通信装置間のアクティビティの履歴を維持し、前記履歴を前記請求書発行ログモジュールに転送する請求の範囲第６項に記載の装置。
【請求項８】
前記コアモジュール及び前記ネットモジュールは、前記分散されたネットワークに接続されている請求の範囲第４項に装置。
【請求項９】
前記コントローラはさらに、トップレベルサーバを具備し、前記トップレベルサーバは、前記通信装置にパケットデータを送信及び前記通信装置からパケットデータを受信するように構成されている請求の第１項に記載の装置。
【請求項１０】
前記パケットデータは、前記通信装置の識別データの少なくとも１つと、前記通信装置の位置データと、グループ通信を確立、変更あるいは停止するための制御データとを具備する請求の範囲第９項に記載の装置。
【請求項１１】
前記第１のチャネルはさらに、信号開始プロトコル（ＳＩＰ）チャネル、メディアシグナリングチャネルそしてメディアトラフィックチャネルを具備する請求の範囲第１項に記載の装置。
【請求項１２】
前記コントローラはさらに、第１のタイマを具備し、前記第１のタイマは、前記通信装置の任意の装置が前記コントローラに情報をしなかった第１の経過時間間隔を測定するように構成されており、前記コントローラは、前記経過時間が所定の時間間隔を越えるならば休止モードに移行するために、メッセージを前記通信装置に送信するように構成されている請求の範囲第１項に記載の装置。
【請求項１３】
前記コントローラはさらに、第２のタイマを具備し、前記第２のタイマは、第２の経過時間間隔を測定するように構成されており、前記通信装置の任意の装置が所定の時間間隔以内に情報を前記コントローラに送信しなかったならば、前記コントローラは、前記通信装置がアクティブ参加者の状態を維持することを望むかどうかを決定するために、前記通信装置からの応答を引き出すために、前記通信装置にメッセージを送信するように構成されている請求の範囲第１２項に記載の装置。
【請求項１４】
前記コントローラはさらに、仲裁者を具備し、前記仲裁者は、優先レベルを前記通信装置の各々に割り当てるように構成されており、前記優先レベルは、高い優先レベルをもつ通信装置が低い優先レベルをもつ通信装置の送信を中断するように、前記通信装置の送信特権の階層を決定する請求の範囲第１項に記載の装置。
【請求項１５】
前記優先レベルの割り当ては、動的に構成可能である請求の範囲第１４項に記載の装置。
【請求項１６】
前記コントローラはさらに、バッファメモリを具備し、前記バッファメモリは、前記通信装置が前記パケットデータを受信する準備ができるまで、前記パケットデータを記憶するように構成されている請求の範囲第１項に記載の装置。
【請求項１７】
前記バッファメモリは、ユーザの認知した待ち時間を最小化するように構成されている請求の範囲第１６項に記載の装置。
【請求項１８】
前記通信装置の少なくとも１つは、異なる通信インフラストラクチャで動作する請求の範囲第１項に記載の装置。
【請求項１９】
前記コントローラは、前記通信装置の識別情報が変更したかあるいは変更されようとしているときに、前記通信装置の識別情報を更新するように構成されている請求の範囲第１項に記載の装置。
【請求項２０】
前記コントローラは、前記少なくとも１つの第２の通信装置に関する情報を前記第１の通信装置に送信するように構成されている請求の範囲第１項に記載の装置。
【請求項２１】
前記第１の通信装置は、第１の識別子によって識別され、前記少なくとも１つの第２の通信装置は、少なくとも１つの第２の識別子によって識別され、前記コントローラは、前記コントローラは、前記通信装置の各々の前記識別子を維持し、前記第１の通信装置及び前記少なくとも１つの第２の通信装置間でのパケットデータの送信を可能にするように構成されている請求の範囲第１項に記載の装置。
【請求項２２】
前記通信装置は、セキュアモードを介して動作する請求の範囲第１項に記載の装置。
【請求項２３】
通信システムにおいて、分散されたネットワークを介して一グループのワイヤレスプッシュ対トーク通信装置を形成するための装置であって、前記装置は、
第１のワイヤレスプッシュ対トーク通信装置と第１のチャネルを確立するように構成された第１のノードと、
少なくとも１つの第２のワイヤレスプッシュ対トーク通信装置と少なくとも１つの第２のチャネルを確立するように構成された少なくとも１つの第２のノードと、
前記第１のノード及び前記少なくとも１つの第２のノードに電気的に接続されたコントローラであって、前記コントローラはさらに、データベースモジュールを具備し、前記データベースモジュールは、前記グループの前記ワイヤレス通信装置の各々の識別情報を具備し、前記コントローラは、前記グループの任意の単一のワイヤレスプッシュ対トーク通信装置が、前記各チャネルを介してパケットデータを前記グループの他のワイヤレスプッシュ対トーク通信装置に送信可能なように、動的に構成可能である装置。
【請求項２４】
通信装置において、分散されたネットワークを介して一グループの通信装置を形成するための装置であって、前記装置は、
第１の通信装置と第１のチャネルを確立するための手段と、
少なくとも１つの第２の通信装置と少なくと１つの第２のチャネルを確立するための手段と、
前記第１のノード及び前記少なくとも１つの第２のノードを制御するための手段であって、前記制御するための手段はさらに、データベースモジュールを提供するための手段を具備し、前記データベースモジュールは、前記グループの前記通信装置の各々の識別情報を具備し、前記コントローラは、前記グループの任意の単一の通信装置が、各チャネルを介してパケットデータを前記グループの他の通信装置に送信可能なように、動的に構成可能である装置。
【請求項２５】
前記パケットデータは、時間感応情報を含む請求の範囲第２４項に記載の装置。
【請求項２６】
前記通信装置の少なくとも１つは、ワイヤレス通信装置である請求の範囲第２４項に記載の装置。
【請求項２７】
前記制御するための手段はさらに、コアモジュール及びネットモジュールを具備し、前記コアモジュールは、前記通信装置の各々の識別を確立して、前記通信装置からの情報を前記ネットモジュールに再先導し、前記ネットモジュールは、前記グループの通信装置間で送信される情報を操作及び管理する請求の範囲第２４項に記載の装置。
【請求項２８】
前記データベースモジュールは、前記コアモジュールの一部である請求の範囲第２７項に記載の装置。
【請求項２９】
前記コアモジュールはさらに、前記通信装置間のアクティビティの履歴を維持するための手段を具備する請求の範囲第２７項に記載の装置。
【請求項３０】
前記ネットモジュールはさらに、前記通信装置間のアクティビティの履歴を送信及び受信するための手段を具備し、前記履歴を請求書作成ログモジュールに転送する請求の範囲第２９項に記載の装置。
【請求項３１】
前記コアモジュール及び前記ネットモジュールは、前記分散されたネットワークに接続されている請求の範囲第２７項に記載の装置。
３２．前記コントローラはさらに、前記通信装置からのパケットデータを送信及び受信するための手段を具備する請求の範囲第２４項に記載の装置。
【請求項３２】
前記コントローラはさらに、前記通信装置からパケットデータを送信及び受信するための手段を具備する請求の範囲第２４項に記載の装置。
【請求項３３】
前記通信装置の任意の装置が制御のための前記手段に情報を送信しなかった第１の経過時間間隔を測定することを具備し、制御するための前記手段は、前記経過時間が所定の時間間隔を越えたならば休止モードに移行するために、メッセージを前記通信装置に送信する請求の範囲第２４項に記載の装置。
【請求項３４】
前記通信装置の任意の装置が所定の時間間隔内に制御するための前記手段に情報を送信しなかった第２の経過時間間隔を測定するための手段を具備し、制御するための前記手段は、前記通信装置がアクティブ参加者の状態を維持することを望むかどうかを決定するために、前記通信装置からの応答を引き出すために、メッセージを前記通信装置に送信する請求の範囲第３３項に記載の装置。
【請求項３５】
優先レベルを前記通信装置の各々に割り当てるための手段をさらに具備し、前記優先レベルは、高い有線レベルをもつ通信装置が低い優先レベルをもつ通信装置の送信を中断するように、前記通信装置の送信特権の階層を決定する請求の範囲第２４項に記載の装置。
【請求項３６】
優先レベルを割り当てるための前記手段は、動的に構成可能である請求の範囲第３５項に記載の装置。
【請求項３７】
前記コントローラはさらに、バッファメモリを提供する手段をさらに具備し、前記バッファメモリは、前記通信装置が前記パケットデータを受信する準備ができるまで、前記パケットデータを記憶する請求の範囲第２４項に記載の装置。
【請求項３８】
バッファメモリを提供するための前記手段は、ユーザの認知した待ち時間を最小化するのに使用される請求の範囲第３７項に記載の装置。
【請求項３９】
前記通信装置のいくつかは、異なる通信インフラストラクチャで動作する請求の範囲第２４項に記載の装置。
【請求項４０】
制御するための前記手段は、前記通信装置の前記識別情報が変更されたかあるいは変更されようとしているときに、前記通信装置の前記識別情報を更新するように構成されている請求の範囲第２４項に記載の装置。
【請求項４１】
制御するための前記手段は、前記第２の通信装置に、前記少なくとも１つの第２の通信装置に関する情報を送信するように構成されている請求の範囲第２４項に記載の装置。
【請求項４２】
前記第１の通信装置は、識別のための第１の手段によって識別され、前記少なくとも１つの第２の通信装置は、識別のための少なくとも１つの第２の手段によって識別され、前記コントローラは、前記通信装置の各々の前記識別子を維持し、前記第１の通信装置と前記少なくとも１つの第２の通信装置間でのパケットデータの送信を可能にする請求の範囲第２４項に記載の装置。
【請求項４３】
前記通信装置は、セキュアモードを介して動作する請求の範囲第２４項に記載の装置。
【請求項４４】
通信システムにおいて、分散されたネットワークを介して一グループの通信装置を形成するための方法であって、前記方法は、
第１の通信装置と第１のチャネルを確立し、
少なくとも１つの第２の通信装置と少なくとも１つの第２のチャネルを確立し、
前記第１のノード及び前記少なくとも１つの第２のノードに電気的に接続されたコントローラを提供し、
前記コントローラはさらにネットワークモジュールを提供し、前記データベースモジュールは、前記グループの前記通信装置の各々の識別情報を具備し、前記コントローラは、前記グループの任意の単一の通信装置各チャネルを介してパケットデータを前記グループの他の通信装置に送信することができるように、動的に構成可能である方法。
【請求項４５】
前記パケットデータは、時間感応情報を含む請求の範囲第１項に記載の方法。
【請求項４６】
前記通信装置の少なくとも１つはワイヤレス通信装置である請求の範囲第１項に記載の方法。
【請求項４７】
前記コントローラはさらに、前記通信装置の各々の識別を確立して、前記通信装置からの情報をネットモジュールに再先導することを具備し、前記ネットモジュールは、前記グループの通信装置間で送信された情報を操作及び管理する請求の範囲第４４項に記載の方法。
【請求項４８】
前記通信装置間でのアクティビティの履歴を維持することをさらに具備する請求の範囲第４４項に記載の方法。
【請求項４９】
前記コントローラはさらに、トップレベルサーバを提供することを具備し、前記トップレベルサーバは、前記通信装置からのパケットデータを送信及び受信する請求の範囲第４４項に記載の方法。
【請求項５０】
前記パケットデータは、前記通信装置の識別データの少なくとも１つと、前記通信装置の位置データと、グループ通信を確立、変更または停止させるための制御データを具備する請求の範囲第４９項に記載の方法。
【請求項５１】
前記第１のチャネルはさらに、信号開始プロトコル（ＳＩＰ）チャネル、メディアシグナリングチャネル、そしてメディアトラフィックチャネルを提供することを具備する請求の範囲第４４項に記載の方法。
【請求項５２】
前記通信装置の任意の装置が前記コントローラに情報を送信しなかった第１の経過時間間隔を測定することをさらに含み、前記コントローラは、前記経過時間が所定の時間間隔を越えたならば休止モードに移行するためにメッセージを前記通信装置に送信する請求の範囲第４４項に記載の方法。
【請求項５３】
第２の経過時間間隔を測定することをさらに具備し、前記通信装置の任意の装置が、情報を所定時間間隔以内に前記コントローラに送信しなかったならば、前記コントローラは、前記通信装置がアクティブ参加者の状態を維持することを望むかどうかを決定するために、前記通信装置から応答を引き出すために、メッセージを前記通信装置に送信する請求の範囲第５２項に記載の方法。
【請求項５４】
前記通信装置の各々に有線レベルを割り当てることをさらに具備し、前記優先レベルは、高い優先度を持つ通信装置が低い優先度をもつ通信装置の送信を中断するように、前記通信装置の送信特権の階層を決定する請求の範囲第４４項に記載の方法。
【請求項５５】
前記優先レベルは、動的に構成可能である請求の範囲第５４項に記載の方法。
【請求項５６】
前記コントローラはさらに、バッファメモリを提供することを具備し、前記バッファメモリは、前記通信装置が前記パケットデータを受信する準備ができるまで前記パケットデータを記憶する請求の範囲第４４項に記載の方法。
【請求項５７】
前記バッファメモリは、ユーザの認知した待ち時間を最小化する請求の範囲第５６項に記載の方法。
【請求項５８】
前記通信装置は、異なる通信インフラストラクチャで動作する請求の範囲第４４項に記載の方法。
【請求項５９】
前記通信装置の識別情報が変更されたかあるいは変更されようとするときに、前記通信装置の識別情報を更新することをさらに具備する請求の範囲第４４項に記載の方法。
【請求項６０】
前記少なくとも１つの第２の通信装置に関する情報を前記第１の通信装置に送信することをさらに具備する請求の範囲第４４項に記載の方法。
【請求項６１】
前記第１の通信装置に対する第１の識別子を提供し、前記第２の通信装置に対する第２の識別子を提供することをさらに具備し、前記コントローラは、前記通信装置の各々の前記識別子を維持し、前記第１の通信装置及び前記少なくとも１つの第２の通信装置間でのパケットデータの送信を可能にする請求の範囲第４４項に記載の方法。
【請求項６２】
前記通信装置は、セキュアモードを介して動作する請求の範囲４４項に記載の方法。
【発明の詳細な説明】
【０００１】
発明の背景
１．発明の分野
本発明はポイント対マルチポイント通信システムに関する。より詳細には、本発明は、既存の通信システムにおける標準インターネットプロトコルを使用してグループ通信サービスを可能にする装置及び方法に関する。
【０００２】
２．関連技術の記載
ポイント対マルチポイント通信システムは、概して、中央位置とシステムの複数のユーザとの間の通信を提供するのに使用される。例えば、地上移動体無線（ＬＭＲ）を使用する配送システムは、中央配送センタと１つ以上の対応フリート車両間でスケジュール情報を通信するために、トラック、タクシ、バス及び他の車両において使用されている。通信はフリート内の特定の車両あるいは全ての車両に同時に先導される。
【０００３】
ポイント対マルチポイント通信システムの他の例は、ワイヤレスプッシュ対トーク（対話）システムである。そのようなシステムは、各々がワイヤレス通信装置をもっている個人のグループが、当該グループの他のメンバと通信することを可能にする。概して、プッシュ対トークシステムは、単一周波数、または通信がワイヤレス通信装置によって受信される専用チャネルに依存している。大抵のシステムにおいて、一人のメンバのみが情報を一度に他のメンバに送信する。しかしながら、すべてのメンバが送信している単一のメンバから通信を受信するために、専用のブロードキャストチャネルを聞く（ｌｉｓｔｅｎ ｔｏ）ことができる。システムの他のメンバに送信することを望むメンバは、概して、ユーザによる専用のチャネルに対する単一のアクセスを可能にする各通信装置上のプッシュ対トーク釦を押すことによって、アクセス要求を送信する。
【０００４】
プッシュ対トークシステムは概して、一グループの人々またはメンバが、“ポイント対マルチポイント”の様式で互いに通信を行なうことを要求する野外のセットにおいて使用される。プッシュ対トークシステムの一例は、ワークグループ通信、セキュア通信、建設地通信、そして局所的な軍隊通信を含む。互いの通信を要求する一グループの人々は、“ネット”として知られ、ネットの各メンバはしばしば“ネットメンバ”と呼ばれる。
【０００５】
典型的なプッシュ対トークシステムにおいて、専用チャネル、しばしばブロードキャストチャネルは、一メンバからネットの複数の他のメンバに同時に通信を送信するのに使用される。専用チャネルは、単一のチャネルまたは周波数、または当該単一のチャネルを模倣するためにコントローラによって管理された一グループの個々のチャネルを含む。いずれにしても、ただ一人のメンバが音声及び／又はデータ通信を他のメンバユーザに所定の時間で送信する。他のメンバが送信している間に、他のメンバがブロードキャストチャネルを介して送信することを企てるならば、２つの競合通信の間に干渉が発生し、非知性的な通信が他のネットメンバによって受信される。
【０００６】
本発明の要約
従来のワイヤレス通信システムにおけるプッシュ対トーク通信システムを実行するために、インフラストラクチャに対する高価な変更が概して必要になる。現在のワイヤレスポイント対マルチポイント通信システムに関連した高コストのほかに、通信は概して、同じまたは類似の技術を使用して互いに相対的近接で動作するメンバに制限される。言い換えると、ポイント対マルチポイント通信は、公衆交換電話網（ＰＳＴＮ）などの他の通信網または技術、インターネットなどのデータ網、グローバルスター衛星通信システムなどの衛星通信システムにまでは拡張されない。
【０００７】
すなわち、本発明は、既存の通信システムにおける分散通信網を介して一グループの通信装置を形成するための装置である。この装置は、第１の通信装置と第１のチャネルを確立する第１のノードを具備する。少なくとも１つの第２のノードは、少なくとも１つの第２の通信装置と少なくとも１つの第２のチャネルを確立する。通信装置をコントローラ、すなわち通信マネージャに接続するチャネルは、信号開始プロトコル（ＳＩＰ）チャネル、メディアシグナリングチャネル、メディアトラフィックチャネルを具備する。通信マネージャとも呼ばれる、コントローラ、は、第１のノードを少なくとも１つの第２のノードに電気的に接続する。コントローラはさらに、データベースモジュールを具備する。データベースモジュールは、グループの通信装置の各々の識別情報を具備する。コントローラは、グループの任意の単一の通信装置が、パケットデータを各チャネルを介して当該グループの他の通信装置に送信ことが可能である。本実施形態において、パケットデータは時間感応情報を含む。他の実施形態において、少なくとも１つの通信装置はワイヤレス通信装置である。
【０００８】
コントローラはさらに、コアモジュール及びネット、すなわちＭＣＵモジュールを具備する。コアモジュールは、通信装置の各々の識別を確立し、通信装置からの情報をネットモジュールに再度先導する。ネットモジュールは動作して、通信装置のグループ間で送信された情報を管理する。他の実施形態において、データベースモジュールは、コアモジュールの一部である。コアモジュールはさらに、請求書作成（ｂｉｌｌｉｎｇ）ログモジュールを維持する。請求書作成ログモジュールは通信装置間のの履歴を維持する。
【０００９】
ネットモジュールはさらに、ローカルログモジュールを具備する。ローカルログモジュールは、通信装置間のアクティビティの履歴を維持し、編集された履歴を請求書発行ログモジュールに転送する。コントローラはさらに、トップレベルサーバを具備する。トップレベルサーバは通信装置からのパケットデータを送信かつ受信する。パケットデータは、通信装置の識別データ、通信装置の位置データ、グループ通信を確立、変更あるいは停止するための制御データなどの情報を具備する。
【００１０】
コントローラはさらに、第１の経過時間間隔を測定する。当該時間間隔が経過する前に、任意の通信装置が情報をコントローラに送信しなかったならば、コントローラは、メッセージを通信装置の各々に送信するかあるいは休止モードに入る。コントローラはさらに、第２の経過時間間隔を測定する第２のタイマを具備する。任意の通信装置が、所定の時間間隔内に情報をコントローラに送信しなかったならば、コントローラは、通信装置がアクティブ状態を維持することを望むかどうかを決定するために、通信装置からの応答を引き出すために、通信装置の各々にメッセージを送信する。
【００１１】
コントローラはさらに、通信装置の各々に優先レベルを割り当てるアービトレータ（仲裁者）を具備する。優先レベルは、通信装置の送信特権の階層を決定するものであり、これによって、より高い優先レベルをもつ通信装置は、より低い優先レベルをもつ通信装置の送信を中断する。優先レベルの割り当ては、動的に構成可能である。
【００１２】
コントローラはさらに、通信装置が前記パケットデータを受信する準備をするまで当該パケットデータを記憶するバッファメモリを具備する。バッファメモリは、ユーザの認知した待ち時間を最小化するのに使用される。
【００１３】
通信装置は、ＣＤＭＡ、ＴＤＭＡ、そしてＧＳＭを含む（それらに限定されない）異なる通信インフラストラクチャにおいて動作しながら同じネットで動作する。
【００１４】
したがって、本発明の他の特徴及び利点は、権限を無効にする（ｏｖｅｒｒｉｄｅ）１つ以上のユーザが、プッシュ対トークネットの他のユーザのそれを越えたアクセス優先度で音声またはデータを送信するのを可能にするアービトレーションを提供することである。
【００１５】
本発明の他の特徴及び利点は、プッシュ対トークネットのユーザに対する認知された待ち時間を最小化することである。
【００１６】
本発明の他の特徴及び利点は、通信装置が待ち時間を最小化するためにデータフレームを欠落することを可能にする。
【００１７】
本発明の他の特徴及び利点は、通信装置が待ち時間を最小化するために要求の認可を予期することを可能にする。
【００１８】
本発明の他の特徴及び利点は、所定のユーザが前記データを受信する準備をするまで音声データを記憶する。
【００１９】
本発明の他の特徴及び利点は、ユーザが単一のフォワードチャネルを介して複数の聞き手にマルチキャストすることを可能にする。
【００２０】
本発明の他の特徴及び利点は、通信装置がその識別アドレスが変更しつつあることを認識して報告することを可能にする。
【００２１】
本発明の他の特徴及び利点は、ユーザがまだプッシュ対トークネットのアクティブ部分であるかどうかを決定することをユーザに促す。
【００２２】
本発明の他の特徴及び利点は、ユーザが複数のプッシュ対トークネット間で切り替えることを可能にする。
【００２３】
本発明の他の特徴及び利点は、ユーザが動的に所定のプッシュ対トークネットの数を決定することを可能にする。
【００２４】
本発明の他の特徴及び利点は、ユーザが加わる可能性のあるプッシュ対トークネットを当該ユーザに提供する。
【００２５】
本発明の他の特徴及び利点は、ユーザに地理的情報をそして他のユーザにはプッシュ対トークネットの他のユーザについての特別の情報を提供することである。
【００２６】
本発明の他の特徴及び利点は、インターネットプロトコルを使用してエンド対エンド音声通信を提供する。
【００２７】
本発明の他の特徴及び利点は、インターネットプロトコルを使用してワイヤレスエンド対エンド音声通信を提供する。
【００２８】
本発明の他の特徴及び利点は、参加者のグループにワイヤレスプッシュ対トークネット通信を提供し、インターネットプロトコルを使用して音声をパケットデータとして送信する。
【００２９】
本発明の他の特徴及び利点は、既存の下地となっている通信インフラストラクチャを変更することなしに、既存の通信インフラストラクチャを介してプッシュ対トークネットを提供する。
【００３０】
本発明の他の特徴及び利点は、有線またはワイヤレス通信装置の一グループがインターネットプロトコルを使用して音声データを互いに送信及び受信することである。
【００３１】
本発明の他の特徴及び利点は、不作動プッシュ対トークネットに対する休止モードを提供する。
【００３２】
本発明の他の特徴及び利点は、１つ以上のプッシュ対トークネットを管理及び制御するために通信マネージャを提供する。
【００３３】
本発明の他の特徴及び利点は、特定のプッシュ対トークネットに対して専用のメディア制御ユニットを提供する。
【００３４】
本発明の他の特徴及び利点は、パケットデータを介して全二重を提供する。
【００３５】
本発明の他の特徴及び利点は、プッシュ対トークネットをセットアップして維持するためにシグナリングチャネルを提供する。
【００３６】
本発明の他の特徴及び利点は、インターネットプロトコル送信を介した音声のためのセキュリティを提供する。
【００３７】
本発明の他の特徴及び利点は、プッシュ対トークネットにおけるトランザクションの詳細な履歴を提供する。
【００３８】
好ましい実施形態の詳細な説明
ネットブロードキャストサービス（ＮＢＳ）システムは、インターネットプロトコル（ＩＰ）通信装置がグループ音声及びデータ会議に参加することを可能にする。ＮＢＳは主として音声オーバＩＰ（ＶｏＩＰ）アプリケーションである。音声通信は、ＩＰデータグラムにおける音声フレームをカプセル化することによって、話者エンドポイント通信装置から１つ以上の聴取者（聞く人）に送信される。音声付きのデータはこのようにして送信される。ＮＢＳシステムは、米国特許出願第０９／５１８９８５号（名称：既存の通信システムにおけるグループ通信サービスを提供する方法及び装置、出願日：２０００年３月３日、弁護士ドケット番号：０００２１２）及び、米国特許出願第０９／５１８７７６号（名称：既存の通信システムにおけるグループ通信サービスにおけるグループ通信サービスに参加するための方法及び装置、出願日：２０００年３月３日、弁護士ドケット番号：０００２１１）に記載され、参考例としてここに特に組み込まれている。
【００３９】
図１は、グループ通信システム１０の機能的ブロック図である。グループ通信システム１０は、プッシュ対トークシステム、ネットブロードキャストサービス（ＮＢＳ）、配送システム、またはポイント対マルチポイント通信システムとして知られる。そのようなＮＢＳシステムの特性を定義することは、概して、ただ１つのユーザが任意の時間に情報を他のユーザに送信する。ＮＢＳ１０において、通信装置ユーザのグループは、個々にはネットメンバとして知られ、各ネットメンバに割り当てられた通信装置を使用して互いに通信する。
【００４０】
術語“ネット”は、互いに通信することを許可された一グループの通信装置ユーザを意味する。概して、中央データベースは、各特別のネットのメンバを識別する情報を含む。１つ以上のネットは、同じ通信システムで動作する。例えば、第１のネットは、１０のメンバを有するものと定義され、第２のネットは２０２のメンバを有するものと定義される。第１のネットの１０のメンバは、互いに通信を行なうことが可能であるが、第２のネットのメンバとは概して通信を行なわない。他の状況においては、異なるネットのメンバは、１つ以上のネットのメンバ間での通信を管理することができるが、それら自身のネット内で情報をメンバに送信できるのみである。
【００４１】
ネットは、既存のインフラストラクチャに対する実質的な変更を要求することなしに、既存の通信システムを介して動作する。すなわち、コントローラ及びネット上のユーザは、符号分割多元接続（ＣＤＭＡ）システム、時間分割多元接続（ＴＤＭＡ）システム、移動体通信（ＧＳＭ）システムのためのＧｌｏｂａｌｓｔａｒ（登録商標）またはＩｒａｄｉｕｍ（登録商標）あるいは種々の他のシステムなどの衛星通信システムなどの、インターネットプロトコル（ＩＰ）を使用してパケット情報を送信及び受信することが可能な任意のシステムにおいて動作する。
【００４２】
ネットメンバは、通信装置（ＣＤ）１２，１４，１６及び１７として示される割り当てられた通信装置を使用して、互いに通信を行なう。ＣＤ１２，１４，１６及び１７は、地上ワイヤレス電話、プッシュ対トーク能力をもつワイヤ線電話、プッシュ対トーク機能を備えた衛星電話、ワイヤレスビデオカメラ、スチルカメラ、音楽レコーダあるいはプレーヤ等の音響装置、ラップトップまたはデスクトップコンピュータ、ページング（呼び出し）装置、あるいはそれらの任意の組み合わせなどの、ワイヤ線またはワイヤレス通信装置である。例えば、ＣＤ１２は、ビデオカメラ及びディスプレイをもつワイヤレス地上電話を具備する。さらに、各ＣＤは、セキュアモードあるいは非セキュア（クリア）モードで情報を送信及び受信することができる。以下の議論において、個々のＣＤに対する参照は、ワイヤレスプッシュ対トーク電話として表現される。しかしながら、ＣＤに対する参照はそのようなものに限定されることはなく、インターネットプロトコル（ＩＰ）に従ってパケット情報を送信及び受信する能力をもつ。
【００４３】
図２のＮＢＳシステム１０において、送信特権は、概して、単一のユーザが任意の時間に情報を他のネットメンバに送信することを可能にするように規定される。送信特権は、要求を受信したときに送信特権が現在他のネットメンバに割り当てられたかどうかに応じて、要求ネットメンバに対して認可または否定される。送信要求を認可及び否定する過程はアービトレーション（仲裁）として知られる。他のアービトレーション方法では、要求するネットメンバが送信特権を与えられているかどうかを決定するにおいて、各ＣＤに割り当てられた優先レベルなどの因子を評価する。
【００４４】
ＮＢＳシステム１０に参加するために、ＣＤ１２，１４，１６及び１７はそれぞれ、コントローラまたは通信マネージャ（ＣＭ）１８からの送信特権を要求する能力を有している。ＣＭ１８は概して、ネット上のリアルタイム及び管理オペレーションを管理する。ＣＭは、少なくとも１つのプロセッサとメモリをもつ任意のタイプのコンピュータ装置である。一実施形態において、ＣＭは、Ｓｕｎ  Ｗｏｒｋｓｔａｔｉｏｎ  Ｎｅｔｒａ  Ｔ１（登録商標）である。
【００４５】
ＣＭ１８は、クリアまたはセキュアとして規定された規定ネットのリストを維持する。クリア及びセキュア間の遷移は概して許可されない。セキュアネットは、盗聴に対する認証と保護を提供するために、個々のＣＤによって提供推される暗号化に依存する。セキュアネットに対する暗号化は、エンド対エンドを基礎として実行され、これは、暗号化と復号化が各ＣＤ内で発生することを意味する。ＣＭ１８は概して、セキュリティアルゴリズム、鍵、あるいは方針の知識無しに動作する。
【００４６】
ＣＭ１８は、許可がサービスプロバイダによって提供されることを仮定して、通信システムサービスプロバイダ、ネットメンバ、あるいはその両方、を通して遠隔的に管理する。ＣＭ１８は、外部管理インタフェース２２６を介してネット定義を受信する。ネットメンバは、それらのサービスプロバイダを介して管理アクションあるいは、ＣＭ１８管理インタフェースに一致するメンバ操作によるセキュリティマネージャ（ＳＭ）２０などの、規定されたシステムを介して管理ネット機能を要求する。ＣＭ１８は、高いグレードの商業基準に対してネットを確立または変更することを試みる任意の者を認証可能である。
【００４７】
ＳＭ２０は、鍵管理、ユーザ認証、及びセキュアネットを支持する関連タスクを実行するＮＢＳシステム１０の選択的な構成要素である。単一のグループ通信システムは、１つ以上のＳＭ２０と交信する。ＳＭ２０は概して、ネット起動またはＰＴＴアービトレーションを含む、ネットのリアルタイム制御を行なわない。ＳＭ２０は、管理機能を自動化するためにＣＭ１８インタフェースと適合する管理能力を有する。ＳＭ２０は、ネットに参加するためにデータエンドポイントとして機能するか、ネットキーをブロードキャストするか、あるいは単にネットトラフィックを監視する。
【００４８】
一実施形態において、ＣＤからの送信特権を要求するための手段は、プッシュ対トーク（ＰＴＴ）キーまたはスイッチを具備する。ＮＢＳ１０におけるユーザが他のネットメンバに情報を送信することを望むならば、ＣＤ上に設けられたプッシュ対トークスイッチが押し下げられ、ＣＭ１８からの送信特権を獲得するための要求を送信する。他のネットメンバがいずれも現時点で送信特権が割り当てられていないならば、要求するユーザは送信特権が認可され、ＣＤを介して音響的、視覚的、あるいは触覚的に警告がなされる。要求するユーザが送信特権の認可された後、情報はそのユーザから他のネットメンバに送信される。
【００４９】
本発明の一実施形態において、各ワイヤレスネットメンバは、場合に応じて１つ以上の基地局２２または衛星ゲートウエイ２４とのフォワードリンク及びリバースリンクを確立する。基地局２２は、基地局２２または衛星ゲートウエイ２４からＣＤへの通信チャネルを記載するのに使用される。衛星ゲートウエイ２４は、ＣＤから基地局２２またはゲートウエイ２４への通信チャネルを記載するのに使用される。音声及び／またはデータはＣＤを使用してデータパケットに変換される。前記データパケットは、他のユーザに対する通信が発生する特定の分散されたネットワーク２６に適している。一実施形態において、分散されたネットワーク２６はインターネットである。他の実施形態において、情報を各ネットメンバから他のネットメンバへブロードキャストするために、専用フォワードチャネルが各通信システム（すなわち、地上通信システム及び衛星通信システム）において確立される。各ネットメンバは、専用チャネルを介して他のネットメンバから通信を受信する。さらに他の実施形態において、情報をＣＭ１８に送信するために各通信システムにおいて専用リバースリンクが確立される。最後に、上記方法の組み合わせが使用される。例えば、ある方法では、専用のフォワードブロードキャストチャネルを確立するが、各ＣＤに割り当てられた個々のリバースリンクを介して情報をＣＭ１８に送信するのにワイヤレスＣＤが必要となる。
【００５０】
第１のネットメンバが情報をネットの他のメンバに送信することを望むときに、第１のネットメンバは、分散されたネットワーク２６を介して送信に対してフォーマットされた要求を生成する、ＣＤ上のプッシュ対トークキーを押し下げることによって、送信特権を要求する。ＣＤ１２，１４，１６の場合には、要求は空中を介して１つ以上の基地局２２に送信される。移動体交換局（ＭＳＣ）２８は、ＭＳＣ１８及び分散されたネットワーク２６間で、要求を含む、データパケットを処理するべく既知のインターワーキングファンクション（ＩＷＦ）を具備する。ＣＤ１６に対して、要求は衛星を介して衛星ゲートウエイ２４に送信される。ＣＤ１７に対して、要求は公衆交換電話網（ＰＳＴＮ）３０に送信され、その後、モデムバンク３２に送信される。
【００５１】
モデムバンク３２は、要求を受信してそれを分散されたネットワーク２６に供給する。ＮＢＳ端末３４は、インターネット２６への接続を介してＮＢＳシステムのトラフィックを監視する。ＮＢＳ端末３４はインターネット２６に接続されているので、ネット参加者に対する地理的近接さは必要とされない。
【００５２】
送信特権要求がＣＭ１８によって受信されたときに、他のメンバが現在のところいずれも送信特権を保持していないならば、ＣＭ１８は、メッセージを要求するネットメンバに送信し、送信特権が認可されたことを通知する。第１のネットメンバからの音響、視覚あるいは他の情報は、次に、上記した送信通路を使用して、当該情報をＣＭ１８に送信することによって他のネットメンバに送信される。一実施形態において、ＣＭ１８は次に、情報を複写し、各複写物をネットメンバに送信することによって、当該情報をネットメンバに提供する。単一のブロードキャストチャネルが使用されるならば、情報は、使用中の各ブロードキャストチャネルに対して一度だけ複写されればよい。
【００５３】
他の実施形態において、ＣＭ１８は、ＭＳＣ２８内に組み込まれ、これによって、支持している基地局からのデータパケットは、分散されたネットワーク２６に送られることなしに、ＣＭ１８に直接送信される。この実施形態において、ＣＭ１８はまだ分散されたネットワーク２６に接続されており、これによって、他の通信システム及び装置は、グループ通信に参加できる。
【００５４】
ＣＭ１８は、個々のネットメンバ及び各規定されたネットに関する管理情報に対する１つ以上のデータベースを維持する。例えば、各ネットメンバに対して、データベースは、ユーザ名、アカウント番号、電話番号、またはメンバのＣＤに関連したダイヤル番号、ＣＤに割り当てられた移動体識別番号、メンバがネットにアクティブに参加しているかどうかなどの、ネットにおける現在のメンバのステータス、送信特権がどのようにして割り当てられるかを決定するための優先コード、ＣＤに関連するデータ電話番号、ＣＤに関連するＩＰアドレス、メンバがどのネットと通信することを許可されたのかについての表示などの情報を具備する。他の関連タイプの情報は、各ネットメンバに関してデータベースによって記憶される。
【００５５】
ＮＢＳインフラストラクチャの一部として、通信マネージャ（ＣＭ）は、１つのトークグループすなわちネットを形成するために、個々の通信端末の接続を形成する。ＣＭは、異なるアプリケーションを提供するために、異なる方法で構成されるハードウェア及びソフトウェア上の種々の機能上の能力を備える。概して、ＣＭは、（ＮＢＳ）ネットのリアルタイムでかつ管理及び信憑性に関するオペレーション、プッシュ対トーク（ＰＴＴ）要求アービトレーション、ネットメンバシップ及び登録リストの維持及び配布、必要なＣＤＭＡシステム及びネットワーク資源の呼設定及び呼切断、ネットステータスの全体の制御を管理する能力を提供する。
【００５６】
ＮＢＳネットは、スタンドアロン配置のセルラシステム内かあるいは大型の多数サイト構成内に設けられる。大型の構成の場合は、単一の統合システムを形成するために多数のＣＭが地理的に配置される。
【００５７】
各々は既存のセルラインフラストラクチャへのプラグインモジュールとして動作する。それで、ＮＢＳネットによって導入された新たな特徴が、既存のセルラインフラストラクチャに対する変更を必要としないでセルラユーザに利用可能となる。
【００５８】
ＣＭの機能は、きていされたＮＢＳネットのリストを維持することである。各ネット定義は、ネット識別子、電話番号または他の識別情報を含むメンバリスト、ユーザ優先度情報、そして他の一般的な管理情報を含む。ネットは、統計的にクリアまたはセキュアとして定義され、クリアとセキュア間の遷移は許可されない。セキュアＮＢＳネットは概して、認証及び盗聴に対する保護を提供するためにメディア暗号化を使用する。セキュアなネットに対するメディア暗号化は、エンド対エンドを基礎として実行され、これは、暗号化及び復号化が通信装置内で発生することを意味する。ＣＭは、セキュリティアルゴリズム、鍵、または方針に関する知識をもつことなしに動作する。
【００５９】
ＣＭは外部管理インタフェースを介してネット定義を受信する。カスタマは、ＣＭ管理インタフェースに適合するカスタマ操作によるセキュリティマネージャなどの、規定されたシステムを介して、サービスプロバイダまたは管理ネット機能を介して管理アクションを要求する。ＣＭは、ハイグレードな商業標準に対してネットを確立または変更することを企てる任意の者を認証する。
【００６０】
本発明の一実施形態を詳細に説明するに先立って、本発明は、その応用において、以下の記述に述べられまたは図面に例示された構成要素の構成及び配置の詳細に限定されることはない。本発明は、他の実施形態が可能であり、種々の方法により実行される。また、ここで使用される熟語及び専門用語は記載のために用いられるのであり、限定するものであると見なされることはない。
【００６１】
図２は、ＮＢＳネット１００及び通信装置がＣＭ１０４とどのように交信するかを示している。多数のＣＭ１０４は、大型ＮＢＳネット１００に対して適合するように配置される。図２において、通信装置１０８すなわちＣＤ１０８は、ネットを介してメディアを送信する許可を有する。この場合、ＣＤ１０８は話者として知られ、チャネルを介してメディアを送信する。ＣＤ１０８が話者として指定されるならば、残りのネット参加者、通信装置１１２及び１１６（又はＣＤ１１２及びＣＤ１１６）はメディアをネットに送信する許可を有していない。従って、ＣＤ１１２及びＣＤ１１６は聴取者として指定される。例えば、ＣＤ１１６が話者として指定されるならば、ＣＤ１０８及びＣＤ１１２は、聴取者として指定される。一実施形態において、チャネルは、セッション開始プロトコル（ＳＩＰ）チャネル１２０、ＮＢＳメディアシグナリングチャネル１２４、そしてメディアトラフィックチャネル１２８を具備する別個のチャネルに分割される。セッション開始プロトコル（ＳＩＰ）チャネル１２０及びＮＢＳメディアシグナリングチャネル１２４は、話者として指定されたかあるいは聴取者として指定されかにかかわらず、ＣＤ１０８，１１２，１１６のいずれかによって帯域が許される任意の時間で使用される。ＳＩＰは、インターネットプロトコル（ＩＰ）を介して動作するマルチメディアセッションを確立、変更及び停止するための制御機構を記載する、インターネットエンジニアリングタスクフォース（ＩＥＴＦ）により規定されたアプリケーションレイヤプロトコルである。ＳＩＰは、ユーザを登録及び探し当てるための支持手段、ユーザ能力を規定するとともにメディアパラメータを記載する機構、ユーザ利用可能性を決定する機構、呼の設定、そして呼のハンドリングによってインターネット電話アプリケーションに対する呼シグナリング問題に対する一般的な解決方法を提供する。
【００６２】
ＳＩＰチャネル１２０は、ネット１００内のＣＤの参加を開始したり終了するのに使用される。選択肢として、セッションデスクリプションプロトコル（ＳＤＰ）信号がＳＩＰチャネル１２０内で使用される。ＮＢＳネット内でのＣＤの参加がＳＩＰチャネル１２０を使用して設定されるときに、リアルタイムでの呼制御及びＣＤ及びＣＭ１０４間でのシグナリングがＮＢＳメディアシグナリングチャネル１２４を使用して発生する。特に、他のタスクの中で、プッシュ対トーク要求及び解放を処理し、競合する要求及びフロア（話す権利）制御を仲裁し、情報送信の開始及び終了を知らせ、ネット休止状態を管理し、エンドポイント接続性を追跡し、ネットステータス、通知及びエラーメッセ−ジを要求及び交換するのに、ＮＢＳメディアシグナリングチャネル１２４が使用される。ＮＢＳメディアシグナリングチャネル１２４のプロトコルは、最も一般的なメッセージの長さを最小化する。さらに、解釈応答のタスクを簡略化し、かつ将来の増大のための柔軟性を維持しながら要求に応答する。ＮＢＳメディアシグナリングチャネル１２４のプロトコルは、プロトコル状態に悪影響を与えることなしに要求を再送することを可能にする。
【００６３】
メディアチャネル１２４に関するシグナリングトラフィックはさらに、主としてＳＩＰ招待要求及び確認応答からなる呼の設定及びコントロールシグナリングと、主としてリアルタイムフロアコントロール要求及び関連非同期メッセージからなるメディアシグナリングの２つに分類される。メディアトラフィックチャネル１２８に関するメディアトラフィックは、リアルタイムポイント対マルチポイント音声及び／又はデータブロードキャストからなる。両方のメッセージカテゴリは、独自の機能上の属性を有する。さらに、各ＣＤは、完全な資格をもったＤＮＳホスト名からインターネットネットワークアドレスへのマッピングを確立するために、ドメインネームサービス（ＤＮＳ）クライアント要求を発行する。
【００６４】
ＮＢＳ呼の設定及び呼の制御シグナリングは、ＳＩＰセマンティクスに従って実行される。ＳＩＰは、好ましい実施形態において、良く知られたユーザデータグラムプロトコル（ＵＤＰ）又は送信制御プロトコル（ＴＣＰ）を使用して転送される。各ＣＤは、図４に示すように、ＵＤＰを使用してＳＩＰを基礎とするシグナリング機能を実行する。また、各ＣＭは、ＵＤＰを介してすべてのＳＩＰシグナリング要求を受信することを予期する。リアルタイムシグナリングは、ＣＭ及び各ＣＤについての動的ＵＤＰ／ＩＰインタフェースを介して発生する。他のシグナリングは、ＳＩＰを使用してＣＭ及びＣＤ間の固定ＴＣＰ／ＩＰインタフェースを介して発生する。
【００６５】
図３は、ＣＭ１０４のモジュール及び物理的構成を示している。ＣＭ１０４は、ＣＭコアモジュールまたはコンプレックス２０４、少なくとも１つのネットモジュール、またはメディアコントロールユニット（ＭＣＵ）２０８及び２１２、ＤＮＳサーバ２１６、リダイレクトサーバ２２０、そして管理ワークステーション２２４を具備する。ＣＭコアコンプレックス２０４は、管理能力をＪＡＶＡ（登録商標）機能を備えたウェブブラウザに提供する。１つ以上のＤＮＳサーバ２１６もまた、ＣＭコアコンプレックス２０４に含まれる。ＣＭコアコンプレックス２０４はさらに、ＣＭノード２２８及びデータベースサーバ２３２を具備する。ＣＭ１０４は、少なくとも２つの部品、ＣＭコアコンプレックス２０４及び各ＭＣＵノード２０８に分類可能である。ＣＭコアコンプレックス２０４への初期的接続の後に、ネットはＭＣＵノード２０８によって動作される。ＭＣＵノード２０８は、必要に応じて、ＣＭコアコンプレックス２０４から情報を送信及び受信する。ＣＭコアコンプレックス２０４の分離性は、特定のネットが一度確立したならば、当該ネットは専用ＭＣＵノード２０８によって動作されるという点において汎用性を可能にする。このことは、ＣＭコアコンプレックス２０４が、ネットが動作することを希望する通信構造のタイプとは無関係に、他のネットとの初期的接続を提供することを可能にする。また、ＣＭコアコンプレックス２０４は、ＭＣＵノード２０８から地理的に分離される。例えば、単一のＣＭコアコンプレックス２０４は、米国の中央部に配置されるが、複数のＭＣＵノード２０８は、所定の領域からネットを動作するべく地域に配置される。それで、ＣＭコアコンプレックス２０４は、ユーザの位置に基づいて、ユーザを特定のＭＣＵノード２０８に経路選択する。また、情報は、位置に基づくブロードキャスト、方向、またはランドマークの識別などの、位置に基づいてユーザまたはユーザグループに提供される。
【００６６】
ＣＭノード２２８は、ＮＢＳネットに関連した中央集権の機能を提供する。ＣＭノード２２８は、セッション開始プロトコルユーザエージェントサーバ（ＳＩＰ  ＵＡＳ）サーバ２３６、及びＣＭマネージャ２４０、中央請求書発行ログ２４４、管理サーバ２４８を具備する。ＳＩＰ  ＵＡＳサーバ２３６は、ネットリストに対するユーザ要求を指示し、ネットに対するＳＩＰインバイトメッセージを処理する。ＳＩＰインバイトメッセージ２２９が通信装置から受信されたとき、ネットは通信装置を適切なＭＣＵノード２０８に割り当て、当該通信装置をＭＣＵノード２０８に先導する。
【００６７】
ＣＭマネージャ２４０は、ネット内のすべてのＭＣＵノードのステータスを監視し、ネットの実行をＭＣＵノード２０８などの所定のＭＣＵノードに割り当てる。ＣＭマネージャ２４０は、ネットの生成及び削除、新規のユーザを規定して既存のユーザを削除すること、ネットメンバとしてユーザを追加及び削除すること、ユーザ、ネット、またはＣＭワイドベースで種々の動作パラメータを調整することを含む、ネット管理に関連する管理機能を処理する。
【００６８】
中央請求書発行ログ２４４は、請求書発行のために時間及び識別情報を維持している。中央請求書発行ログは、ＭＣＵノード２０８のローカルログサーバ２６０からの請求書発行ログ情報を受信する。どの通信装置がネット上でどこからどのぐらいの間アクティブであるか、または、各ＣＤがいつ及びどのぐらい長く話者または聴取者であったかなどの、各ユーザの詳細なログ情報が維持される。管理サーバ２４８は、管理ワークステーション２２４がネットステータスインタフェース２８０を介して、ステータス情報を検索し、ネットステータスインタフェース２８０を介してデータベース管理とシステム管理機能を開始するのを可能にするためのインタフェースを支持する。
【００６９】
ＣＭは、ＳＩＰユーザエージェントサーバ２３６とＳＩＰＭＣＵサーバ２５２の両方を実行する。ＮＢＳを支持するために、各ＣＤはＳＩＰユーザエージェントを実行する。ＣＭは、通知されたノード又はポートに関して到来するＳＩＰ接続を受信する。接続が発生したときに、ＳＩＰサーバ２３６は、ＳＩＰ個−シグナリング規定に従って、要求を受信して処理する。ＳＩＰサーバ２３６は、多数の呼−シグナリング接続を並行して処理することが可能である。
【００７０】
ネットワーク資源を保護するために、ＣＤは、それが首尾よく（または失敗により）ＮＢＳネット１００に加わった後、ＳＩＰサーバ２３６とのＵＤＰ接続を解放する。ＵＤＰ接続は、（例えば当該ネットから離れるかあるいは他のネットに切り替える目的で）付加的なＳＩＰ呼−シグナリング要求を送信するために後で復帰される。
【００７１】
図４は、ＮＢＳ  ＳＩＰシグナリングプロトコルスタック３００の一例を示す。当該スタックはネットワーク通信を実行するプロトコルレイヤの集合体である。各レイヤに関連するプロトコルは、すぐ上およびすぐ下のレイヤと通信して、下に位置するレイヤの支持を受け持つ。ＵＤＰは信頼度の低いコネクションレス転送なので、強固な通信を保証するためにはアプリケーションレベルの信頼性が望ましい。これは、ＳＩＰ準拠のエンドポイントによって実装することで達成される。概して、ＵＤＰストリーム３０４上のＳＩＰ呼−シグナリング３０２は、ＩＰプロトコル３０６内にカプセル化される。特別なフォーマット動作は必要としない。ＳＩＰ呼−シグナリングＩＰパケット３０６は、例えば、ポイント対ポイント（ＰＰＰ）フレーム内にカプセル化された、ＣＤＭＡセルラを基盤とするＣＤかあるいはダイヤルアップＰＳＴＮを基盤とするＣＤの間で交換される。従って、特別なフォーマット動作は必要としない。また、ＣＤＭＡセルラを基盤とするＣＤと基地局との間で交換されるＳＩＰ呼−シグナリングＰＰＰフレーム３０８は、無線リンクプロトコル（ＲＬＰ）３１０内にカプセル化される。ダイヤルアップＰＳＴＮを基盤とするユーザの場合、Ｖ．３２ｂｉｓまたはＶ．９０などの、適切なモデム標準がＲＬＰ３１０に取って代わる。いずれの場合であっても、概して特別な処置が必要とせず、エラーのない物理リンクが仮定されない。
【００７２】
図５は、ＮＢＳメディアシグナリングプロトコルスタック３１２を示し、ＩＰ３０６を介してＵＤＰデータグラムを使用して音声とデータトラフィックを転送する。ＮＢＳメディアシグナリング３１４は、ＵＤＰ／ＩＰトラフィック３０６上に重ねられ、図４の記載と類似の方法により処理される。
【００７３】
図６は、リアルタイムプロトコル音声メディアプロトコルスタック３２０を示す。この実施形態において、ボコーダペイロードデータ３２２は、リアルタイムプロトコル（ＲＴＰ）３２４上に重ねられる。次に、ＲＴＰ３２４は、ＵＤＰ３０４及びＩＰ３０６上に重ねられる。選択的な実施形態において、圧縮リアルタイムプロトコル（ＣＲＴＰ）ヘッダ圧縮３３０はさらに、アプリケーションレイヤでＲＴＰ３２２を使用してメディアトラフィックをカプセル化するのに使用される。ヘッダ圧縮技術は、図４〜図９に示すように、すべてのＵＤＰ／ＩＰ到来及び出力ＵＤＰ／ＩＰトラフィックに対して適宜適用される。メディアシグナリング要求及び応答は、ＵＤＰデータグラム内にカプセル化される。利用可能ならば、ＣＲＴＰヘッダ圧縮は、非圧縮ＵＤＰ／ＩＰヘッダを送信することの影響を低減するために適用される。図６において、ＣＲＴＰは、ＲＴＰレイヤ３２４、ＵＤＰレイヤ３０４、ＩＰレイヤ３０６及びＰＰＰレイヤ３０８を圧縮する。図４，５及び図７−９において、ＣＲＴＰ３２０は、ＵＤＰ３０４からＰＰＰ３０８を含む間のレイヤを圧縮する。
【００７４】
動作時において、各ＣＤは、それがＮＢＳメディアシグナリング要求を聞き取ることを意図するＵＤＰポートを動的に選択し、ネットに加わろうとするときに、それが配送するＳＩＰ案内の一部としてポート番号をＳＩＰサーバ２３６に通信する。ネットのＣＭメディアシグナリング送り先アドレス（ＵＤＰポート番号を含む）は、成功したＳＩＰインバイト（ＩＮＶＩＴＥ）要求のＣＤに対する応答の一部として配送されるネットのセッション記述に記載されている。ＳＩＰシグナリングアドレスとは異なり、メディアシグナリング送り先アドレスは、ネットに特有のものであり、ネットに参加するＣＤのインスタンス間で変更される。同じＣＭによって主催される多数のネットは概して独立して動作し、メディアシグナリングまたはメディアトラフィックポートを共有しない。しかしながら、多数ネットはメディアシグナリング及びメディアトラフィックポートを共有する。
【００７５】
図６に関して、音声トラフィックは、ＲＴＰ／ＵＤＰ３２４またはＵＤＰペイロード３０４内に１つ以上のボコーダフレームをグループ化することによってカプセル化される。イネーブルされたＣＲＴＰ３３０をもつＲＴＰ３２４の使用は、エンド対エンドメディア潜伏期間を最小化して、ＩＰ電話アプリケーション及びサービスとの相互作用を提供する。いずれにしても、ＣＤは、それがメディアトラフィックを受信して、ネットに加わることを企てるときにポート番号をＳＩＰサーバ２３６にＳＩＰインビテーションの一部として通信するＵＤＰポートを動的に選択する。
【００７６】
ネットのボコーダ及びトランスポートカプセル化プロトコル及び、そのメディアトラフィック送り先アドレス（ＵＤＰポート番号を含む）とは、ＳＩＰサーバ２３６から成功したＳＩＰインビテーション要求へのセッション記述応答に記載されている。ネットのメディアシグナリングアドレスのように、メディアトラフィック送り先アドレスは、ネットに特有のものであり、ネットに加わるＣＤのインスタンス間で変更される。
【００７７】
概して、図６に示すように、音声トラフィックは、各ＵＤＰデータグラム３０４をＲＴＰヘッダ３２４とボコーダペイロード３２２に分離する、ＲＴＰ３２４を使用してアプリケーションレイヤでカプセル化させる。図７は、ＵＤＰ音声メディアプロトコルスタック３３２を示す。音声トラフィックは、概してＣＲＴＰヘッダ圧縮３３０が利用できないとき、あるいはネットメンバによって支持されていないとき、ＲＴＰカプセル化なしで、ＵＤＰデータグラム３０４を使用して単にカプセル化される。図８は、メディアトラフィックプロトコルスタック３３４を示す。メディアトラフィックプロトコルスタック３３４は、アプリケーションレベルのＲＴＰカプセル化を行なうことなしに、ネット参加者に対して使用される。
【００７８】
ＵＤＰペイロード３０４の構造は、ＲＴＰヘッダフィールドなしの対応ＲＴＰペイロード３２４に対して与えられる定義に従っている。メディアをＵＤＰ３０４に直接カプセル化する決定は、ネットの管理者２４８によって構成され、ネットのセッションアナウンスによって通知される。音声メディアに加えて、ＮＢＳネットは、任意のデータブロードキャストを支持する。ネットがデータブロードキャストチャネルを支持するならば、ＳＩＰサーバ２３６は、ＣＤが公式にネットに加わるときに、ネットのＳＩＰセッション記述においてメディアタイプを通知する。
【００７９】
図９は、ＤＮＳクライアントプロトコルスタック３３８を示す。各ＣＤは、ドメインネームサービス（ＤＮＳ）プロトコル３４０を使用して、インターネットドメイン名をインターネットアドレスに変換する能力を含む。ＣＤは、ＤＮＳクライアントとして動作する。ＣＤは、図９に示すように、ＵＤＰ３２６を使用してＤＮＳ３４０要求をカプセル化する。ＣＤがＤＮＳホスト名を変換するために、ＣＤは、図３に示すように、ＤＮＳサーバ２１６のＩＰネットワークアドレスが与えられる。ＤＮＳアドレスは、ＣＤサービスプロバイダ及び選択的にはユーザによって構成される。
【００８０】
音声メディアに加えて、ネットは、セキュアネットリキー（ｓｅｃｕｒｅ ｎｅｔ ｒｅｋｅｙ）、Ｅメール、データファイルなどの、任意のデータブロードキャストを支持する。ネットがデータブロードキャストチャネルを指示するならば、ＣＭは、前記ＣＤが公式にネットに参加するときに、ネットのＳＩＰセッション記述におけるメディアタイプを通知する。従来のメディアブロードキャストのように、一般的なデータブロードキャストは、一実施形態においてＲＬＰを介して動作するが、概してより信頼性の低い送信と認められる。
【００８１】
ＣＤは、ＲＦＣ１０３４に規定されているように、ドメイン名サービス（ＤＮＳ）プロトコルを使用してインターネットドメイン名をインターネットアドレスに変換する能力を含む。一方、ＣＤは、ＲＦＣ１０３５に記載されているように、ＤＮＳクライアントまたはリゾルバーとして動作する。
【００８２】
ＣＤがＤＮＳホスト名を解決するために、ＣＤは、ＤＮＳサーバのＩＰネットワークアドレスで予めプログラム化されている。ＤＮＳアドレスは、ＣＤサービスプロバイダあるいは選択的にはユーザによって構成可能である。
【００８３】
ＣＭ１０４は、選択的にはＤＮＳサーバ２１６として動作するように構成される。それは、トランスポートプロトコルとしてＴＣＰを使用して外国の存在からのＤＮＳ要求に応答するけれども、ＣＤに起因する要求をサービス提供するために、ＳＩＰサーバ２３６は、図８に従ってＵＤＰ３０４を使用してＤＮＳメッセージをカプセル化する。
【００８４】
さらに、ＮＢＳはセルラマルチキャストチャネルの発展を利用する。そのようなチャネルは概して、１つの送信局が、送信されたデータのＮの別個の再ブロードキャストを必要とすることなしに、１つのフォワードチャネルを介して直接、Ｎ個の聴取局をアドレスすることを可能にする。セルラマルチキャストチャネルの存在は、ＩＰネットワークレイヤの下部のＮＢＳメディアスタックに対する変更を示唆する。セルラマルチキャストチャネルによって提供される効率を利用するために、ネットのメディアシグナリング及びトラフィック送り先アドレスは、従来のＩＰマルチキャストチャネルであり、ＣＭに起因するメディアシグナリング及びトラフィックブロードキャストはマルチキャストブロードキャストである。各ＣＤに起因するメディアシグナリング及びトラフィックブロードキャスト及びＳＩＰシグナリングはポイント対ポイント通信として残る。
【００８５】
図４−９に示される無線リンクプロトコル（ＲＬＰ）３１０は、リンクレイヤ（ＲＬＰフレーム）ロスが発生するときに経験する潜伏期間を最小にするために、各ＣＤ内で変更される。ＴＣＰ及びＵＤＰ３０４はいずれも信頼性のあるネットワーク（ＩＰ）またはリンクレイヤサービスを前提にしていないので、そのような変更は選択的なものであり、アプリケーションレイヤプロトコルの転送の動作に必ずしも影響を与えない。
【００８６】
種々のＲＬＰ３１０変更方法が考えられる。例えば、ＲＬＰ３１０は、ＲＬＰタイムアウトの開始の後に、ＮＡＫ応答などの、多数メッセージを送信するように変更され、遠隔エンドに対して失われたＲＬＰ３１０フレームの多数複写を送信することを促して、ＲＬＰ３１０回収が成功する機会を改善する。ＲＬＰ３１０は、（ＲＬＰタイムアウトが切れた後に）けっしてＮＡＫ応答を送信しないように変更され、エラーを生成するために、欠落したＲＬＰ３１０フレームをプロトコルスタックのより高いレベルに強制することを可能にする。ＴＣＰに基づくアプリケーションレベルプロトコルはＴＣＰのエラー回復機構を使用して定期的に回復する。転送のためにＵＤＰ３０４に依存するトラフィックはすでに損失の可能性と競合する。
【００８７】
図２に戻って、ＣＤがＳＩＰチャネル１２０を使用してＮＢＳネット１００内の参加を確立したならば、ＣＤは、メディアトラフィックチャネル１２８を介してＣＤの特別なメディアポートに関してネット１００からメディアを送信及び受信する準備をする。図２のＣＤ１０８の場合のように、ＣＤがメディアシグナリングを介してフロアの制御を獲得したならば、ＣＤは、メディアを送り先ネットワーク及びネット１００のセッション記述において示されるトランスポートアドレスに送信する。ＣＤは、ボコーダ及び、ＣＤがネット１００に参加したときにインバイト応答において受信したネット１００のセッション記述において規定したメディアフォーマットに従ってそのメディアポートに関して受信したメディアを復号化する。ＣＤは、ボコーダ及びＣＤがネット１００に参加したときにインバイト応答において受信したネット１００のセッション記述において規定したメディアフォーマットに従って、ネット１００に送られたメディアを符号化してカプセル化する。
【００８８】
ネットに参加している各ＣＤは、送り先ネットワークと、ＣＭ１０４のＳＩＰサーバ２３６から受信され、ＳＩＰ呼の設定の間に承認されたセッション記述から各メディアチャネルに対するトランスポートアドレスを決定し、ネット１００内に送信された対応するメディアをアドレスするためにそれを使用する。各ＣＤは、ＣＭに対するパケットデータ接続を提供する。このインタフェースのＣＤ実装における変更は、ＮＢＳパフォーマンスを最適化するために行なわれる。このインタフェースのインフラストラクチャサイドに対する変更は概して必要ではない。ＣＤは、以下に詳細に説明するように、クイックネットコネクト（ＱＮＣ）を使用して大抵のＮＢＳアクティビティを選択的に支持する。
【００８９】
サービスプロバイダへ配送されたとき、ＣＭマネージャ２４０は、ＮＢＳアクティビティを支持する前に、基本的な管理構成を行なう。最初の構成は、ルートレベルのシステム管理に対するオペレーテイングシステムレベルアカウントに対してパスワードを割り当てたり、ローカルワイヤレスインフラストラクチャネットワークに関する適正なオペレーションのためにＣＭマネージャ２４０ネットワークインタフェースを構成するなどの、基本的なシステム構成を含む。
【００９０】
ＣＭ１０４がいったん構成されたならば、一般的なネット管理が発生する。ネット管理機能は、ＨＴＭＬまたはＴＣＰ／ＩＰ上に構成された他のネットワークインタフェースを介して発生する。管理ワークステーション２２４は、従来のワールドワイドウェブ（ＷＷＷ）ブラウザを使用してＣＭコアコンプレックス２０４と相互作用する。管理は、（インターネット上の任意の場所またはダイアルアップを介して）地域的または遠隔的に発生する。しかしながら、管理アクセスのための下方のトランスポートパスは概してＴＣＰ／ＩＰである。また、複数（少なくとも３つ）の同時管理接続が許可される。
【００９１】
ネット管理のためにＣＭコアコンプレックス２０４に接続したならば、管理ワークステーション２２４は、認可された管理アクションのみが受理されることを確実にするためにそれ自身首尾よく認証する。異なるレベルのアクセスが提供される。例えば、認可されたネットメンバは、特別なネットメンバシップリストを変更するために、ＣＭの管理インタフェース（２４８）に直接接続する。より一般的な管理特権は概して、特定の管理アカウントに対して予約される。明瞭さのために、管理アクションは、特にユーザ定義に関するものと、ネットを規定するものとに概して分離される。ユーザ定義は、ユーザ名、独自のＣＤセルラシステム識別子、ＣＤ電話番号、そしてユーザＥメールアドレスなどの情報を具備する。独自のユーザ識別子は、ＣＤに渡されて、シグナリングメッセージにおけるユーザを独自に識別するのに使用される。ネット定義は、ネットアドレス、ネットハングタイム、プライベートディスパッチタイムアウト、及びメンバリストなどの情報を具備する。ネットのメンバリストは、個々にユーザ識別子と優先レベルを含むメンバレコードのリストなｄの情報からなる。最小レベルの優先度を有するメンバは、概して聴取のみの特権を有する。
【００９２】
ＣＭ管理者２４８は、それらが管理特権をもつネットの現在のステータスを監視する。特に、ＣＭ管理者２４８は、ネット参加者の現在のリストを決定するとともに、ネットの状態（アクティブ、非アクティブ、休止、ウェイクアップ（起きろ）など、）を監視する。ネットがアクティブのときはいつでも、ＣＭ管理者２４８は、現在の話者の身元を監視する。現在のセッションの長さ、全体の対話時間、登録者の平均メンバなどは、管理インタフェースを介して管理者に利用可能である。
【００９３】
管理サーバ２４８インタフェースは、少なくとも２つのネットワークノードまたはポートからなる。１つは、従来のＪＡＶＡ（登録商標）可動ウェブブラウザを介しての管理アクセスを支持する、ＴＣＰ／ＩＰを基盤とするハイパーテキストトランスファープロトコル（ＨＴＴＰ）インタフェースである。２つ目は、ＴＣＰ／ＩＰを基盤とするＮＢＳ特定のコマンドライムインタフェース（ＣＬＩ）。
【００９４】
管理サーバ２４８は、ハイパーテキストマークアップランゲージ（ＨＴＭＬ）シンタックスなどの、インターネットで読み取り可能な手段を使用してフォーマットされた１つ以上のページをもつ、ＨＴＴＰウェブサーバインタフェースを介して、汎用ウェブブラウザに対してすべての管理機能を利用可能にする。少なくとも１つの管理ページは、埋め込みＪａｖａ（登録商標）アプレットに対する参照を含む。いくつかの管理機能は、従来のＨＴＡＣＣＥＳＳ承認機構を使用してウェブブラウザによって発行されるＨＴＴＰ，ＧＥＴ，ＰＯＳＴコマンドを介して選択的に実行される。支持された管理機能は、ＣＬＩインタフェースによって支持されるそれらのサブセットである。
【００９５】
ＨＴＴＰインタフェースは、Ｊａｖａ（登録商標）アプレットをウェブブラウザに配送するのに使用される。アプレットは次に、ウェブブラウザインタフェースを介してユーザに対して付加的な管理機能を提供するべく管理サーバ２４８に依存する。ＣＬＩインタフェースに対するアクセスが承認される前に、管理サーバ２４８ＣＬＩインタフェースに接続する管理ワークステーション２２４が承認される。好ましい実施形態において、ＣＬ１インタフェースは、既知の、固定ＴＣＰポートアドレスに関して到達可能であり、多数のＣＬＩセッションを同時に管理することができる。
【００９６】
データベースサーバ２３２は、ネット情報及びパラメータ、ネットユーザ情報、ＭＣＵ２０８及び２１２、及びＣＭノード２２８、に関連したステータス情報の記憶を司る。データベースサーバ２３２は、この情報を、ＳＩＰサーバ２３６及びそのような情報を必要とする他のモジュールなどの、ＣＭ１０４の残りに提供する。データベースサーバ２３２は、ＮＢＳネットデータベース部及びＮＢＳユーザデータベース部を含む、ＮＢＳネットアクティビティを支持する情報を捕捉するデータベースを維持する。管理アクティビティ及び特権を支持する情報は、データベースまたは第３の機能的に別個のデータベースに記憶される。データベースサーバは、さらにユーザ部とネット部とに分割される。
【００９７】
ＣＬＩインタフェースは、ＣＬＩクリエートユーザ／ネット、デリートユーザ／ネット、モディファイユーザ／ネット、リスト／ショーユーザ、リスト／ショーネット、ステータス及びヘルプ、などの管理機能を支持する。クリエートユーザ機能は、管理サーバ２４８がデータベースのユーザ部において全てのユーザレコードフィールドを特定することを含む、新たなユーザを生成することを可能にする。デリートユーザ機能は、管理サーバ２４８が、データベース２３２のユーザ部において既存のユーザリコードを削除することを可能にする。モデファイユーザ機能は、管理サーバ２４８が、特定のユーザに対する全てのレコードフィールドを変更することを含む、データベース２３２のユーザ部における既存のユーザレコードを変更することを可能にする。
【００９８】
クリエートネット機能は、管理サーバ２４８が、すべてのネット定義パラメータを特定することを含む、データベース２３２のユーザ部における新たなネットを生成することを可能にする。デリートネット機能は、管理サーバ２４８が、データベース２３２のユーザ部における既存のネットを削除することを可能にする。モデファイネット機能は、管理サーバ２４８が、特定のネットに対するすべてのネット定義パラメータを変更することをふくむ、データベース２３２のユーザ部における既存のネットを変更することを可能にする。リストユーザ機能は、管理サーバ２４８が、データベース２３２のユーザ部において、すべてのユーザをユーザ名、ダイヤル番号、ユーザ識別子によって列挙することを可能にする。
【００９９】
リストネット機能は、管理サーバ２４８が、データベース２３２のネット部において、すべてのネットを、ネットアドレス、ネット識別子によって列挙することを可能にする。ショーユーザ機能は、管理サーバ２４８が、ユーザのユーザ識別子によって識別された特定のユーザに対してすてのフィールドを示すことを可能にする。ショーネット機能は、管理サーバ２４８が、ネットのネット識別子またはネットアドレスによって識別された特定のネットに対してすべてのフィールドを示すことを可能にする。ステータス機能は、管理サーバ２４８が、特定のネットに対してスタティックステータスレポートを問いただすことを可能にする。ステータス機能は、管理機能２４８がリアルタイム（更新された）レポートを問いただすことを可能にする。特に、ステータス機能は、ネット参加者の現在のリスト、現在の話者、メディアトラフィックの存在、の延在のリストを識別し、ＣＭによって送信又は受信された任意の又はすべてのメディアシグナリングメッセージを識別する。ヘルプ機能は、管理サーバ２４８が、用法及びシンタクス記述を含む、各支持されたＣＬＩコマンドの簡単な、人が読むことが出来る要約を問いただすことを可能にする。
【０１００】
データベース２３２のＮＢＳユーザ部は、ＮＢＳの個々のユーザを追跡する。データベース２３２内に含まれたユーザレコードは、データベース２３２のＣＭのネット部において規定されるネットのメンバである。あるいはメンバでなくとも良い。
【０１０１】
データベース２３２のユーザ部における各レコードは、ユーザ名、ユーザ識別子、ボコーダリスト、ダイヤル番号、ユーザタイプ、ＣＲＴＰサポート、ＣＤユーザアドレス、そして、ＣＤプレティグッドプライバシー（ＰＧＰ）公開鍵などのフィールドからなる。ボコーダリストは、申込者のＣＤによって指示されたボコーダのリストである。リストは、ＮＢＳによって支持されていないボコーダを含む。ダイヤル番号は、申込者のＣＤのダイヤル番号である。このフィールドは、一般的なインターネットユーザのために、空あるいはヌルである。ユーザタイプは、ユーザがＣＤＭＡセルラか一般的インターネットユーザかを記述するタイプフィールドである。ＰＳＴＮダイヤルアップを介して接続するユーザは、汎用インターネットユーザであると考えられる。ＣＲＴＰサポートは、ＣＤが支持しかつ接続中にＰＰＰを介してＣＲＴＰヘッダ圧縮を交渉するかどうかを示すフラグである。このフラグは、セルラ及びＰＳＴＮを基盤とするユーザに対して有効である。ＣＤユーザアドレスは、ＣＤに対してグローバル規模で独自のユーザアドレスである。多数のユーザアドレスによって知られるＣＤは、データベース２３２のユーザ部において多数の対応するエントリを有する。ＰＧＰ公開鍵は、ＣＤユーザアドレスに従った鍵である。
【０１０２】
ＮＢＳネットデータベースは、ＣＭに対して知られたネットのセットを規定する。データベース２３２のネット部はまた、各ネットの規定されたメンバ、すなわち、ネットに参加して参加者になることを要求するユーザ、を列挙する。データベース２３２のネット部における各レコードは、種々のフィールドからなる。フィールドは、ＣＭのコンテキスト内でネットを識別する独自の整数である、ネット識別子を含む。フィールドはまた、ネットのＳＩＰ適合ネットアドレスであるネットアドレスを含む。ネット所有者、ユーザのノンエンプティリストは、ネットに対する（別個に規定された）管理特権を有するユーザ識別子によって識別される。また、ネットセキュリティステータスは、ネットがクリアかあるいはセキュアかを示すフラグのためのフィールドである。
【０１０３】
フィールドは、ネット参加者間のＰＴＴアービトレーション競合を解決するのに使用されるアービトレーション方法を識別する独自の値である、アービトレーション方法を含む。ネットボコーダは、ネットの通知されたセッション記述において示される標準ボコーダを識別する独自の値を有するフィールドを記載する。ネットの規定されたメンバは、このボコーダを支持されたボコーダのリストにおいて列挙させる。ＰＴＴフェイルセーフタイムアウトは、ＣＭがＰＴＸ否定メッセージをもつフロアの制御を取り消す前に、ネット参加者がメディアをネットに送信する最大秒である。ハングタイムタイムアウト値は、ＣＭがそれを休止状態に置く前に、ネットがアイドル状態になっている最大秒である。ＰＴＸ休止応答タイムアウト値は、ＰＴＸ承認応答を要求ＣＤに送信する前に、休止状態のネットのフロアが承認可能であることを決定した後にＣＭが待機する最大秒である。ウェイクアップタイムアウト値は、未処理ＰＴＴ要求を承認する前に、ＡＹＴ“ウェイクアップ（起きろ）”メッセージに応答するために、ＣＭがネット参加者を待つ最大秒である。レイトライザ（遅く起きる人）タイムアウト値は、ＣＭが応答しないＣＤをアクティブ参加者のネットのリストから除去する前に、ＣＭのＡＹＴ“ウェイクアップ”メッセージに応答するために、ＣＭがＣＤを待つ最大秒である。ＡＹＴタイムアウト値は、ＣＭがＣＤをアクティブ参加者のネットのリストから除去する前に、ＣＭのＡＹＴメッセージに応答するために、ＣＭがＣＤを待つ最大秒である。メディアチャネルリストは、ネットに対するペイロード仕様を含む、メディアチャネルのリストである（ネットは音声を転送する、少なくとも１つのメディアチャネルを列挙する）。
【０１０４】
ネットメンバシップリストは、参加者及び関連するネットの特定の特権者としてネットに参加することを要求するユーザのセットを規定する。リスト内の各エントリは、ＣＭのユーザデータベース２３２において列挙されたユーザの独自の識別子である、ユーザ識別子などのフィールドを含む。フィールドはまた、ＰＴＴ競合を解決するにおいてネットのＰＴＴアービトレーションアルゴリズムによって使用されるべきユーザの優先レベルである、ユーザネット優先レベルを含む。ゼロの優先レベルは、ユーザが聴取のみの特権を有し、ネットの制御は許可されないことを示す。フィールドはまた、ユーザがネットに対して有する許可特権を詳細に示すユーザ許可リストを含む。特権は、ネットのメンバシップリストにおけるエントリを追加、編集あるいは変更する能力と、他のネットパラメータを変更する能力を含む。
【０１０５】
各ＣＤは、ＣＤが参加することを要求する既知のネットを識別する、グループリストとしても知られるデータベースを維持する。ＣＤデータベースの各エントリは、ネットアドレス、ネットセキュリティアドバイザリフラグ、ネットトラフィック暗号化鍵、休止ベビーシットタイマなどのフィールドを含む。ネットアドレスは、ＣＤがアクティブ参加者としてネットに参加するべく要求するために使用するネットの公式のＳＩＰネットアドレスである。ネットセキュリティアドバイザリフラグは、利用可能ネットのリスト内にＣＭのＳＩＰサーバ２３６によって配布され、ネットがタイプ４セキュアメディアトラフィックを運ぶように規定されたことを示すためにユーザによってセットされた、クリア／セキュアアドバイザリフラグである。ネットトラフィック暗号化キーは、タイプ４セキュアネットに対するすべてのメディアトラフィックを暗号化及び復号化するのに使用されるトラフィック暗号化鍵である。休止ベビーシットタイマは、接続された状態に遷移する間における休止／アイドル状態において、パケットデータ呼が有効状態を維持し、基地局が一方的に接続を切断しなかったことを確認するときにＣＤが待機する、秒で表わされるインターバルの長さである。
【０１０６】
ＭＣＵノード２０８は、ＭＣＵ２５２、ＭＣＵノードマネージャ２５６、ローカルログサーバ２６０を具備する。ＭＣＵノード２０８及び２１２は、選択的にさらなるＭＣＵ２６４を含む。ＭＣＵノード２１２は、実質的にＭＣＵノード２０８と同じである。説明を簡単にするために、ここではＭＣＵノード２０８についてのみ説明する。ＭＣＵ２５２は、単一のアクティブネットの制御を受け持つ。ＭＣＵは、ＳＩＰ、メディアシグナリング、ネットに対するメディアインタフェースを支持し、ネットの通常の動作に関連した機能を提供する。各ＭＣＵノード２０８は、必要に応じてネットを関するように先導されるＭＣＵ２５２の集積をもつ。各ＭＣＵ２５２は、開始、停止及びステータス報告などの機能を指示するためにＭＣＵ管理インタフェース２６８を提供する。
【０１０７】
ＭＣＵノードマネージャ２５６は、ＭＣＵノード２０８の動作を監視して、そのＭＣＵノード２５６についての各ＭＣＵ］２５２の動作を管理する。ＭＣＵノードマネージャ２５６はまた、開始及び／又はシャットダウンを可能にするために、外部インタフェース２７２をＣＭコアコンプレックス２０４に提供し、ネットをノードに割り当て、ステータス情報を共有する。
【０１０８】
ローカルログサーバ２６０はＭＣＵノード２０８に対するすべてのログイベントを局所的に記録する。ローカルログサーバ２６０はまた、そのログイベントインタフェース２７６を介して中央ログサーバ２４４からの要求に応答する。要求は、ある種のイベントクラスまたは優先度をアップロードすることを含む。イベントの損失を防止するために、中央請求書発行ログサーバ２４４によって確認応答が受信されるまで、メッセージがローカルログサーバ２６０によって記憶される。
【０１０９】
ＤＮＳサーバ２１６は、名前サービスをＮＢＳ通信装置に供給する。ＤＮＳサーバ２１６は、ＳＲＶレコード要求をサービスする。ＤＮＳサーバ２１６は、ネットワーク上の任意の位置に配置される。一実施形態において、ＤＮＳサーバ２１６は、ＣＭコアコンプレックス２０４の一部である。
【０１１０】
各ＣＤは、ＣＤが参加できるネットのセットを内部的に示すネットのリスト、またはグループリストを維持する。前記リストは、不揮発性であるが、必要に応じて、ＣＭ１０４との内部作用を介してあるいはユーザの対話的動作によって更新される。ユーザはまた、どのユーザがさらにはどれだけのユーザがネット内でアクティブまたは非アクティブなのかを決定することができる。ＣＤによって内部的に維持されたＮＢＳグループリストは、電話帳に維持されている名前とダイヤル番号のリストと機能的に類似であり、音声サービスを行なうのに使用される。ＮＢＳグループリストは、電話の従来の電話帳と統合される。いずれの場合であっても、グループリストからネットを選択する行動は、選択されたネットに加わることを企てるように電話に指示する。
【０１１１】
特別のＮＢＳネットに参加するために、各ＣＤは最初に、ＣＤがそれ自身を特別のネットのためのアクティブネット参加者のリストに追加することを要求する。すなわち、各ＣＤは最初にそれが参加することを望む任意のネットのネットアドレスに気がついて知ることができる。さらに、各ＣＤは最初に知り、ＳＩＰ要求が送信されるトップレベルＳＩＰサーバ２３６のアドレスを用いて構成できる。ＣＤ、ＣＤがメンバである少なくとも１つのネットアドレスで規定されるグループリストを備えている。ＣＤはそのグループリストを更新するために要求を後でトップレベルＳＩＰサーバ２３６に送信する。そのＣＤに対して明示的なＮＢＳ準備が起こらなかったならば、ユーザは、ＮＢＳを使用するに先立ってインタアクティブにＣＤに入力するために、トップレベルＳＩＰサーバ２３６及びネットアドレスが与えられる。ユーザはまた、付加的なネットアドレスをすでにエントリが与えられたグループリストにインタアクティブに入力する。そのような構成ステップは、個人名とダイヤル番号とを従来の電話帳に入力することと類似している。
【０１１２】
ユーザはネットアドレスをＣＤグループリストにインタアクティブに入力するが、対応するネット及びトップレベルＳＩＰサーバ２３６が好ましくは存在し、ユーザは、ＣＤがネットに首尾よく参加できるように当該ネットのメンバとして列挙される必要がある。
【０１１３】
ＣＤは、ＣＤがＤＮＳ質問を送信できる、第一次ドメインネイムサービス（ＤＮＳ）サーバのＩＰネットワークアドレスが与えられる。概して、ＣＤＭＡセルラキャリアによって動作されるＤＮＳサーバ２１６のアドレスが準備される。ＣＤは代わりのＤＮＳサーバのＩＰネットワークアドレスが準備される。
【０１１４】
ＳＩＰ認証を支持するために、ＣＤは、ＣＭ１０４によって要求されたときにそれはＳＩＰトランザクションに署名するのに使用できる独自のＰＧＰユーザＩＤ及び秘密鍵が準備される。ＰＧＰユーザＩＤはまた、一般的なＳＩＰトランザクションのためのＣＤユーザアドレスとしても使用される。
【０１１５】
図１０は、ＣＤのグループサービスモジュール５００の高レベル機能を示す。通常、グループサービスモジュールは、ＣＤがパワーＯＮされたときに、デフォルトのアイドル状態５０４に初期化される。このアイドル状態５０４から、ＣＤは、それがＮＢＳネットにアクティブに参加することを可能にする他の状態に遷移する。
【０１１６】
ユーザは、ＣＤユーザインタフェース内のメニューオプションを介してＮＢＳサービスを一時的にデセーブル（不作動）にすることを望む。ユーザがＮＢＳサービスをデセーブルにした場合には、ＣＤがパワーＯＮされたときにグループサービスモジュールは、デフォルトでデセーブル状態５０８になる。デセーブルになったとき、ＣＤは、任意のＮＢＳネットに自動的に参加することを企てない。さらに、ＣＤは、ＮＢＳ特別のＳＩＰトランザクションを実行しない（ＣＤは、登録を維持するかあるいは、ＣＤ内に存在する他のＩＰ基盤の電話アプリケーションのために他のＳＩＰトランザクションを実行する）。
【０１１７】
選択的に、ＣＤ内のグループサービスを非装備（アンイクウィップト）状態５１２にすることによって、グループサービスは、ユーザからは完全に隠れる。非装備状態は、グループサービスをデセーブルにし、装備状態はグループサービスをイネーブルにする。いったん非装備状態になると、ＣＤは、グループサービスを装備するために、管理規定を必要とする。グループサービスが非装備されると、ＮＢＳグループサービス機能と関連するユーザインタフェース特徴は、ユーザに利用できなくなる。
【０１１８】
ＣＤはＮＢＳグループサービスを装備するためにオーバザエア規約を支持する。ＣＤのグループリストが１つ以上のネットアドレスを含む場合、ただ１つのネットアドレスはデフォルトネット５１４として識別される。ネットアドレスが選択されるならば、ＣＤは、ＣＤがパワーＯＮされた少し後にこの選択されたネットに加わることを企てることによって、アイドル状態５０４から自動的に遷移することを企てる。
【０１１９】
ＣＤが接続されたとき、ＣＤは、ユーザが図１６に関して説明したプッシュ対トークシステムのどこにいるかに基づいて、沈黙状態５１６、聴取状態５２０、対話状態５２４、休止状態５２８を巡回する。
【０１２０】
ＮＢＳは、利用可能なネットアドレスを通知し、個々のＣＤが公式にネットに参加またはやめることができる機構を提供するために、ＳＩＰによって規定されるような、呼シグナリングシンタクスとセマンテクスに依存する。他の機能的エンティティとともに、ＣＭ１０４は、トップレベルＳＩＰサーバ２３６と、１つ以上のマルチポイント制御ユニット（ＭＣＵ）２５２及び関連するＳＩＰユーザエージェントサーバと、管理データベース２３２のユーザ及びネット部を含む。トップレベルＳＩＰサーバ２３６は、システムに参加するために既知の集合点として機能する。各ＭＣＵ２５２は、１つ以上のネットに対してメディアシグナリング及びメディアトラフィックスイッチングを実行する。データベース２３２は、既知のユーザ、管理、及びネットアドレス定義を記憶して提供し、複数ＣＭ設置場所として機能するか、あるいは遠隔的にアクセスされる。
【０１２１】
各ＣＤはネットアドレスのリストと１つ以上のトップレベルＳＩＰサーバ２３６アドレスとを備える。グループリストが空の場合、ユーザは既存のリストのアドレスをインタアクティブに特定する。トップレベルＳＩＰサーバ２３６が定義されていないならば、ユーザはトップレベルＳＩＰサーバ２３６のアドレスをインタアクティブに特定する。トップレベルＳＩＰサーバ２３６アドレスがわかったならば、ＣＤはＳＩＰインバイトメソッドを使用して予め規定されたＳＩＰ送り先に電話をかけることによってそれに利用可能なネットの更新されたリストを要求する。
【０１２２】
トップレベルＳＩＰサーバ２３６は、その要求を内部送り先に再度転送するかまたはそれに直接応答する。この呼に対するインバイト応答は、ＣＤに利用可能なネットの現在のリストを含む。ＣＤはその内部グループリストを更新するためにこのリストを使用する。
【０１２３】
ネットが選択された後、ＣＤはネットアドレスを案内送り先として特定し、当該要求をトップレベルＳＩＰサーバ２３６に送信することによって、ＳＩＰインバイトメソッドを使用してネットに参加することを企てる。トップレベルサーバ２３６は、ネットアドレスを既知の送り先にマッピングすることを企て、それが成功したならば、ＣＤをＭＣＵ２５２の対応するＳＩＰユーザエージェントサーバに再送する。マッピングができない場合には、当該案内は失敗となる。
【０１２４】
通常、ＭＣＵ２５２の送り先ＳＩＰユーザエージェントサーバは、ＣＤは選択されたネットのメンバであることを確認し、当該案内に応答し、その応答のコンテキストにおいてネットに参加するために、メディアトラフィック及び使用するシグナリングパラメータの記述を埋め込む。ＭＣＵ２５２のＳＩＰユーザエージェントは、それがネットの合法的なメンバであると確認できなかったならば、または、正常なネット動作ができない、他のエラー状態が発生した場合には、エラーの返答をする。案内が受理された場合には、ＣＤは、ＳＩＰ  ＡＣＫメソッドなどの、メッセージを介して応答を承認する。呼の進行を示す他の一時的な応答コードは、案内が処理されている間、ＣＤによって受信される。
【０１２５】
ＣＤは、そのグループリストをそれが参加するであろうネットのセットに更新する役目をもつ。ユーザは、ネットアドレスが選択されない場合であっても、グループリストに対する更新を受信する目的で、ＣＭ１０４のデータベース２３２に照会するようにＣＤに命令する。ＣＤがそれはネットに追加されたかあるいはネットから削除されたということを決定したならば、ユーザに対する適切なメッセージを簡単に表示（例えば、“グループＸに追加された”）及び／またはユーザの反応を促す。ＣＤがそれがネットのメンバではないと決定したならば、同様にしてそのことをユーザに通知する。ＣＤは、新しいネットアドレスを自動的にそのグループリストに組込むとともに、それがグループリストからメンバシップを失ったネットのアドレスを削除する前に、ユーザに促す。
【０１２６】
概して、ＣＤのグループリストにおけるたかだか１つのネットが一度に選択されるものとして識別される。最初はデフォールトネットが選択されるかまたは、ユーザがグループリストからネットを選択する。
【０１２７】
ネットに参加するべきインバイト要求に対するＭＣＵ２５２応答のＣＭのＳＩＰユーザエージェントサーバは、埋め込まれるべきコンテンツとして、ネットのメディア及びリアルタイムメディアシグナリング送り先アドレス及び、（メディアペイロードフォーマット記述子などの）他のネットパラメータを含む。いったん確認されたならば、ＣＤはユーザに対してフィードバックを簡単に表示し、ユーザが聴取のみの特権をもっているかどうかを表示し、グループサービス機能を可能にする。ＣＭ１０４がＣＤは選択されたネットのメンバではないと決定するか、エラーあるいは他の例外的な条件が発生した場合には、ＳＩＰサーバ２５２は、対応するエラー応答により応答する。そのような登録が拒絶された場合には、ＣＤは対応するエラーメッセージを表示し、グループサービス機能はアイドル状態を維持する。ネットが選択されなかった場合には、ＣＤ内のグループサービスはアイドル状態を維持する。
【０１２８】
作動しているグループサービスの一部として、ＣＤは、そのＲＴＰメディアトラフィックチャネル１２８及び成功した案内応答において供給されたＣＭ送り先アドレスに対する別個のＮＢＳメディアシグナリングチャネル１２４を初期化して開放する。これらのチャネルが初期化されたならば、グループサービスがＣＤ１０８に関して駆動され、それは、ネットから音声トラフィックを受信するとともに、当該音声トラフィックをネットに送信するための許可を要求する能力をもつグループサービス沈黙状態５１６に移行する。
【０１２９】
グループサービスがアクティブのとき、ＣＤ１０８は、メディアトラフィック１２８とＣＭに対するシグナリングチャネル１２４を監視する。メディアトラフィックチャネル１２８に関して受信された音声データは復号され、現在のユーザ構成に従って、ＣＤ１０８ファーフィールドスピーカあるいはイヤホン付属物を使用して再生される。ＣＤ１０８は、リアルタイムメディアシグナリング１２４を介して認識された、現在の話者の身元を表示する。現在の話者の身元がわからない場合には、ＣＤ１０８は、グループリストにおいて列挙された現在の選択ネット名を表示する。ＣＤ１０８は、メディアトラフィック統計（例えば、対話、聴取、監視に使われた全時間、推定されるメディアトラフィック受信パケット損失）を集計し、これらをメニューオプションを使用して診断用としてユーザに利用可能にする。ネットからトラフィックを受信する間、ＣＤ１０８は、グループサービス聴取状態５２０に遷移し、音声トラフィックが停止したときに沈黙状態５１６に戻る。
【０１３０】
ユーザはいつでも、ＰＴＴ釦を押し下げて、ＣＭ１０４（特に、ＭＣＵ２５２）にフロアコントロール要求で合図することをＣＤ１０８に行なわせることによって、ネットに対して話しかけるための許可を要求する。ＰＴＴ釦は、１つのキーあるいは一連のキーの押し下げ、ボイスアクティベーション、スイッチ、トグルデバイス、あるいはダイヤルを含む、任意のタイプのアクティベーションコマンドであるが、これらに限定されない。ＭＣＵ２５２は、要求を許可または否定することによって応答する。ＣＤ１１２などのＣＤが聴取のみの特権をもっている（すなわち、ＣＤは選択されたネット内でゼロの優先レベルをもっている）場合には、要求は否定される。否定された場合には、ＣＤ１１２は、エラートーンでユーザに警告し、適当なエラーまたはそれを示すメッセージを表示し、沈黙状態５１６に戻る。ＣＤは、他のフロアコントロール要求を企てる前に、ＰＴＴは解放されるとともに、再び押し下げられることを主張する。許可された場合には、ＣＤ１１２は、グループサービス対話状態５２４に移行し、例えば簡単な音響チャープでユーザに信号送信し、ＰＴＴが操作されている限り、音声トラフィックをＣＭ１０４に送信することを開始する。ＣＭ１０４は、（ＰＴＴが操作されている間）それがフロアの制御を失ったＣＤ１１２に非同期で信号を送る。そのような信号を受信したならば、ＣＤ１１２は、音声トラフィックを中止し、ＰＴＴが解放されるまでユーザにエラートーンで  警告する。その時点でそれは沈黙状態５１６に戻る。
【０１３１】
ＣＤ１０８内のグループサービスが、沈黙状態５１６、聴取状態５２０、あるいは休止状態５２８にあるときはいつでも、グループリストから他のネットを選択することによって異なるネットに移行する。新たなネットが選択された場合には、ＣＤ１０８はＣＭ１０４に信号を送信してＳＩＰ呼設定機能を介してそれを現在のネットから除去し、次に、新たなネットに参加するべく同様の手順に従う。新たなネットに加わる手順が失敗したならば、ＣＤ１０８は、もはやネットのメンバではなく、ＣＤ１０８内のグループサービスは、アイドル状態５０４に戻る。
【０１３２】
ＣＭ１０４が、特定のネットのフロアを要求しているＣＤ１０８はネットの登録されたメンバだけであると決定した場合、ＣＭ１０４は、フロアコントロール要求を否定して、孤立したユーザエラーなどの、エラーメッセージ信号を送信し、ＣＤ１０８がこれをユーザに対して表示する。ネットはただ一人の登録メンバで存在するが、少なくとも２人の登録メンバが存在しなければ音声トラフィックを中継できない。
【０１３３】
ＮＢＳアプリケーションは、図１１に関して記載したような、セッション開始プロトコル（ＳＩＰ）呼シグナリングと、図１２−１４に関した記載したようなＮＢＳメディアシグナリングとの、２つの異なるアプリケーションレベルプロトコルに基づいている。ＳＩＰはもっぱら呼シグナリング及び呼設定に使用される。メディアシグナリングは、メディアシグナリングはＰＴＴ要求（図１２）を運び、ネット休止（図１３）を管理し、ＰＴＴアービトレーション衝突（図１４）を解決する。
【０１３４】
ＳＩＰ呼シグナリング３５０は、図１１に示されている。セッション開始プロトコルは、ＣＭ１０４のＳＩＰサーバインタフェース２３６を使用して、ＮＢＳネットを発見、参加、そして退場するためのＮＢＳアプリケーションレイヤコントロール（シグナリング）を提供する。ネットに参加するために、ＣＤ３５２は、トップレベルＳＩＰサーバ２３６を介して、呼に参加するために、名前によりネット１００を招待する。ネット１００を去るためには、ＣＤ３５２は、対応する“グッドバイ”をネットに送信する。
【０１３５】
ＣＤ３５２は、必要に応じて、準備された第一次または第二次のＳＩＰサーバアドレスをインターネットネットワークアドレスに解決するために、ＤＮＳ２１６を使用することによって、トップレベルＳＩＰサーバ２３６のＩＰアドレスを決定する。選択的な代わりにアプローチとして、ＳＩＰ規約は、ＣＤ３５２が、ネットアドレスのＮＢＳホストシステムドメイン部に関連するサービスレコードのためにＤＮＳ２１６に照会することを可能にし、返信アドレスでＳＩＰサーバ２３６にコンタクトする。
【０１３６】
デフォルトでは、ＣＤ３５２は、代わりにポート情報がＤＮＳ２１６を介して決定されることがなければ、デフォルトＳＩＰポートを使用してＳＩＰサーバ２３６にコンタクトすることを企てる。ネットに参加することを企てる前に、ＣＤ３５２は、利用可能なネットの更新されたリストを要求するためにＳＩＰインバイトメソッドを使用して電話をかける。
【０１３７】
例えば、オーバザエア接続を開始したＣＤ３５２は、ＩＳアドレスが割り当てられ、利用可能なネットの現在のリストを決定することを望む。このことは、ＳＩＰサーバポートに対するＴＣＰ／ＩＰ接続を開放して要求を発行する。ネットの更新されたリストを獲得するための要求は、特別の送り先に送信される。ときとして、ＣＤ３５２は、ＣＤＭＡネットワーク及びＣＤＭＡセルラを基盤とするＣＤ３５２がサービスを獲得するシステムを識別する付加的なアプリケーションに特有のヘッダを含める。
【０１３８】
ＣＤ３５２は、当該ＣＤ３５２がＳＩＰサーバ２２６がＮＢＳサービスを理解して支持することを期待することを示すためのヘッダを含める。当該ヘッダにより配布されるオプション値は、ＣＤ３５２がサーバ２３６が支持することを期待するＮＢＳサービスの特定のバージョンまたはタイプを、サーバ２３６に通知する。
【０１３９】
ＣＭのトップレベルＳＩＰサーバ２３６は、ＳＩＰ再先導（リダイレクト）機構を使用して、インバイト要求３５６を、ネット情報に対する要求を受信して応答するべく特別に規定された送り先に再先導する。そのような再先導を受信した場合、ＣＤ３５２は応答（ＡＣＫ）３５７を確認して、当該要求を再先導された送り先に再送する。
【０１４０】
ＣＤ３５２は、ＤＮＳ機構を介して、再先導されたアドレスに対する適切なＳＩＰコンタクトポイントを決定する必要がある。ＣＤ３５２に対するこのプロセスを簡単にするために、サーバ２３６は、インターネットネットワークアドレスを使用して、再先導送り先を明示的に特定する。ネットのリストを要求しているインバイトメッセージ３５４がサーバ２３６によって首尾よく受信されて受理されたならば、サーバ２３６は、インバイト要求応答３５６を配送する。
【０１４１】
インバイト要求応答３５６は、そのコンテンツとして、ＣＤ３５２が続いて参加するネットのセットを規定するレコードのリストを含む。サーバ２３６は、インバイト要求３５４に対する応答３５６を形成するための規定メンバとして要求ＣＤ３５２を列挙するネットのために、ネットデータベース２３２に照会する。ネットは、ネットの公式なネットアドレスを含むアプリケーション規定のレコードフォーマットを使用してコンテンツ内で識別される。ネットは任意の順番で列挙される。
【０１４２】
サーバ２３６は、種々の理由により、ＣＤ３５２に首尾よく応答することができない。そのような状況においては、サーバ２３６は、インバイト応答３５６の代わりに適切なＳＩＰステータスコードを配送する。ＣＤ３５２は、そのようなステータスコードを受信して解釈する準備をしており、重大なエラーが発生した場合には、（ＣＤ３５２ユーザインタフェースディスプレイ上にエラーメッセージを表示するなど）適切なアクションをとる。サーバ２３６は、登録の進行を示すステータス応答でもって成功したインバイト応答３５６に代える。ＣＤ３５２は、成功した登録に代わるステータスコードを受信して解釈する。
【０１４３】
ＣＤ３５２は、ＳＩＰインバイト要求３５８をサーバ２５２を介してＣＭマネージャ２４０に発行することによって、ネットに参加することを要求する。ＣＤ３５２が、ＳＩＰサーバ２５２に対するオープンＵＤＰ／ＩＰ接続をもたないならば、それは、ＳＩＰサーバポートに対する新たなＵＤＰ／ＩＰ接続を開放する。
【０１４４】
ＣＤ３５２は、トップレベルＳＩＰサーバ２３６によって再先導される準備ができており、要求を再先導された送り先に必要に応じて再発行する。ＣＭのトップレベルＳＩＰサーバ２３６は、どのような到来インバイト要求でも適宜、現在懸案のネットに関連したＭＣＵのＳＩＰサーバ２５２に再先導する。ＣＤ３５２は、一度以上再先導される。
【０１４５】
インバイト要求３５８は、インビテーションが成功することを仮定して、ＣＤ３５２を開始とするメディアソースの記述子を（メッセージコンテンツとして）含む。含まれるならば、上記記述子は、メッセージコンテンツとして含まれ、フィールド構成方法を使用して記載される。
【０１４６】
メッセージ記述子は、セッション記述プロトコル（ＳＤＰ）に適合したフォーマットで配送される。ＳＤＰバージョン（ｖ）を規定した後、セッション記述子は、必須のオリジン（ｏ）記述子を含む。ＣＤ３５２は、セッション識別子及びセッションバージョンに対する値を選択するための任意の都合の良い機構を用いる。現在の時間の推定を提供することは、セッション識別子を規定する１つの方法である。接続データ（ｃ）は、ネットワークタイプ、アドレスタイプ、そして接続アドレスを規定することによって特定される。ＣＤ３５２は、それがメディアトラフィックを接続アドレスとして明示する（またはソース）ＩＰアドレスを使用する。ＣＤ３５２は、ネットのネットアドレスをセッション名として使用する。ＣＤ３５２は、開始又は現在の最善の推定を提供することによって、好ましくはニューヨークタイムフォーマット（ＮＴＰ）における、セッションのライフタイム（ｔ）を特定し、セッションは拘束されないことを示す。メディアフォーマット（ｍ）記述子は、メディアタイプ、ソースポート、トランスポートプロトコル、そしてＣＤ３５２がネットに送信するために使用することを意図するペイロードフォーマットを規定する。最後に、セッション記述子は、セッションがＮＢＳ会議として動作することをＣＤ３５２が期待することを示すための属性（ａ）タイプ定義を使用する。サーバ２３６は、アドレスに対して招待されるのは、招待が承認される前に有効なＮＢＳネットアドレスであることを確認する。
【０１４７】
成功したインビテーションを呈示するために、そして、招待されたネットに対する参加者のリストに追加されたことを特別にＣＤ３５２に通知するために、サーバ２３６は、インバイト応答３６０を配送する。
【０１４８】
成功したインバイト応答３６０は、支持されたメディアトラフィックポート及びＳＤＰシンタクスを使用するフォーマットを記載する、招待されたネットに対する第一次セッション記述子を含む。セッション記述は、すべてのメディアシグナリング及びトラフィックが送信されるべきネットワークアドレスを規定する接続（ｏ）記述を含む。ネットのメディア送り先ネットワークアドレスは、ネットのネットアドレスからＤＮＳを使用して解決されたＳＩＰユーザエージェントサーバのネットワークアドレスと必ずしも同じではない。
【０１４９】
セッション記述は、すべてのメディア及び送り先メディアポートを記述する。セッション記述は、ネットへの次の参加の一部としてＣＤ３５２によって送信されたメディアシグナリングメッセージを識別する目的で、ＭＣＵ２５２によってＣＤ３５２に割り当てられた識別子を含む。この識別子の値は、所定のネットに関するすべてのアクティブな参加者の中で独自なものであり、動的に生成される。ＣＤ３５２は、成功したＳＩＰインビテーション間のこの識別子を必ずしも保存しない。
【０１５０】
セッション記述は、ネットのメディアシグナリングが付着する改正レベルを示すＮＢＳプロトコルバージョンの通知を含む。そのような通知は、タイプ属性フィールドの値を拡大することによって、または、その値がプロトコルバージョン番号である新しい属性を規定することによって実行される。
【０１５１】
成功したインバイト応答を受信した後に、ＣＤ３５２は、ＳＩＰ確認応答（ＡＣＫ）要求３６２をネットのＭＣＵのＳＩＰユーザエージェントサーバ２５２に送信することによってインビテーションを確認する。ＡＣＫ要求３６２を送信した後に、ＣＤ３５２は、ＳＩＰサーバとのＴＣＰ接続を閉じる。ＡＣＫ要求３６２が送信される前に、ＣＤ３５２は、インバイト応答３６０において配送されたセッション記述に従って、そのメディアシグナリング及びトラフィックポートを初期化する。
【０１５２】
成功したインバイト応答３６０に応答してＣＤ３５２がＳＩＰ  ＡＣＫメッセージ３６２を送信した後の任意のときに、ＣＤ３５２は、ＳＩＰ  ＢＹＥメッセージ３６４をネットのユーザエージェントサーバ２５２に送信することによってネットへの参加を正式に停止する。ＢＹＥメッセージ３６４を送信するに先立って、ＣＤ３５２は、ユーザエージェントサーバ２５２にＴＣＰ接続を開放する必要がある。ＢＹＥメッセージ３６４は、ＢＹＥ応答メッセージ３６６を用いてＣＭによって確認応答される。ＢＹＥメッセージ３６６がいったん承認されると、ＣＤ３５２は、ユーザエージェントサーバ２５２とのＵＤＰ接続を閉じる。ＢＹＥ応答メッセージ３６６を確認応答する前に、ユーザエージェントサーバ２５２は、アクティブ参加者の示されたネットリストからＣＤ３５２を除去する。
【０１５３】
概して、ＣＤ３５２のＳＩＰユーザエージェント蔵アンとは、ＳＩＰサーバの能力を照会するためにオプションメソッドを使用する。特に、ＣＤ３５２は、送り先がＮＢＳ呼シグナリング支持を提供するかどうかを決定するために、任意のＳＩＰ送り先に照会することを望む。
【０１５４】
ＣＤ３５２は、インバイト応答３６０を受信して確認応答３６２を送信する前に、承認待ちのインバイト要求３５８を中止することを望む。そのような状況において、ＣＤ３５２は、呼を潔く中止するためにＳＩＰキャンセル（図示せず）メソッドを使用する。トップレベルＳＩＰ再先導サーバ２３６及びＣＭのＳＩＰユーザエージェントサーバ２５２は、キャンセルメソッドを支持する。
【０１５５】
例えば、ユーザが音声サービス電話をかけることを決めて、インバイトメッセージ３５８が完了する前に送信を押し下げたならば、ＣＤ３５２は、進行中のインバイトメッセージ３５８を中止するためにキャンセルメソッドを使用する。そのような状況において、インバイト応答３６０が完了するのを待って、直ちにＢＹＥメッセージ３６４を送信するのでなく、ＣＤ３５２は、単にインバイトメッセージ３５８をただちにキャンセルして要求された音声サービス呼に進むことを行なう。
【０１５６】
ＣＤ１０８がＳＩＰを使用してＮＢＳネットの現在のメンバシップへのエントリを首尾よく交渉した後に、すべてのリアルタイムの呼制御が、各ＣＤ３５２及びネットのＭＣＵ  ＳＩＰサーバ２５２間で交換したポイント対ポイントアプリケーションレベルメディアシグナリングメッセージを介して、発生する。メディアシグナリングメッセージは、図４に示されたプロトコルスタックを使用してかつ図１２に示されるシーケンスに従って転送される。図１２は、メディアシグナリングメッセージシーケンス３６８を示す。ＰＴＴ要求メッセージ３７０は、ＣＤ３５２によってＭＣＵノード２０８のＳＩＰユーザエージェントサーバ２５２に送信され、メディア、通常音声をネットにブロードキャストするユーザの望みを送信する。通常、ＰＴＴ要求メッセージ３７０は、フロアコントロール要求を示すために、ＣＤ３５２プッシュ対トーク釦が押されるたびに送信される。加えて、ユーザがＣＤ３５２プッシュ対トーク釦を解放するときに、“フロア”の通常の解放を示すために、ＰＴＴ解放メッセージがＣＤ３５２によってＳＩＰユーザエージェントサーバ２５２に送信される。
【０１５７】
ＰＴＴメッセージは、ｏｐコード、ｉｄ、ｓｒｃ、そして、予約などのフィールドからなる。ｏｐコードは、ＰＴＴメッセージがフロア制御要求かあるいは解放メッセージかを規定する。ｉｄフィールドは、続くＰＴＴ解放及びＰＴＸメッセージが特定のＰＴＴ要求を参照することを可能にするための独自のメッセージ識別子を提供する。ｉｄは、特定のＣＤ３５２の登録セッション内で独自である。ｓｒｃフィールドは、ＰＴＴ要求３７０をＳＩＰユーザエージェントサーバ２５２に送信するＣＤ３５２を独自に識別する。予約フィールドは、将来の能力のためにＰＴＴメッセージ３７０における空間を予約する。
【０１５８】
ＣＤ３５２は、各送信されたＰＴＴ要求３７０に対して少なくとも１つのＰＴＸ応答メッセージ３７２を受信することを期待する。ＰＴＸ応答３７２が所定のタイムアウト期間に受信されなかった場合、ＣＤ３５２は、ＰＴＴ要求３７０は送信中に失われたと仮定して同じＰＴＴｉｄを使用して当該ＰＴＴメッセージ３７０を再送する。
【０１５９】
ＰＴＸ応答メッセージ３７２が所定の再送回数内にＳＩＰユーザエージェントサーバ２５２から受信されなかった場合には、ＣＤ３５２は、ＳＩＰユーザエージェントサーバ２５２はもはや到達不可能であると仮定して、ＮＢＳアイドルモードに遷移し、ユーザに対するエラー状態を示す。好ましい実施形態において、ＣＤ３５２は、要求及び解放メッセージに対して異なるＰＴＴｉｄを使用する。
【０１６０】
ＰＴＴメッセージ３７２は、以前のＰＴＴ要求３７０を確認して応答するとともに、非同期フロア制御イベントを送信するために、ＳＩＰユーザエージェントサーバ２５２によってＣＤ３５２に送信される。ＳＩＰユーザエージェントサーバ２５２は、ＰＴＴフロア制御要求または解放に応答するべくＰＴＸメッセージ３７２を使用する。ＰＴＸメッセージ３７２は、参照されたフロア制御要求が承認されたかあるいは否定されたかなどについての情報を含む。ＰＴＴフロア制御解放３７０に応答するときに、ＰＴＸメッセージ３７２は、受信のみの確認を示すために使用される。ＳＩＰユーザエージェントサーバ２５２は、以前に承認されたフロア制御要求を非同期で否定するためＰＴＸメッセージ３７２を使用する（高い優先度のＣＤ３５２がフロア制御要求を発行するとき、ＰＴＸ承認は満了（すなわち、タイムアウト）するか、あるいは、他のイベントが発生し、ネットのフロアの制御を無効することが必要になる。
【０１６１】
ＰＴＸメッセージ３７２は、ｏｐコード、ｉｄ、アクション、ステータス、そして満了などのフィールドを含む。ｏｐコードフィールドは、ＰＴＸメッセージ３７２が保留のＰＴＴ要求に対する同期応答であるかどうか、あるいは、それがエラーまたは優先アービトレーション競合を示す非同期のメッセージであるかどうかを規定する。ｉｄフィールドは、以前に受信したＰＴＴ要求を意味する。アクションフィールドは、ＰＴＸメッセージ３７２が、ネットのフロアの制御を、承認、否定、破棄、あるいは確認しているかどうかを示す。ステータスフィールドは、特に、ＰＴＸメッセージ３７２が否定、破棄、あるいは前のＰＴＴ要求に反応することが出来ない場合において、ＰＴＸアクションを説明する付加的な情報を提供する。ステータスフィールドは、高い優先度の話者がネットの制御を承認されたかあるいは、ＣＤ３５２がネット参加者として列挙されておらず、ネットに対してメディアシグナリング要求を提出することができないことを示す。満了フィールドは、ネットのフロアの制御が受信するＣＤ３５２に対して認可される、全体の時間における最大の時間を表わす。ＳＩＰユーザエージェントサーバ２５２は、ＣＤ３５２がメディアトラフィックの送信を開始するときではなく、ＰＴＸメッセージ３７２が応答するときからタイマを開始させる。満了フィールドの値は、構成可能なネットパラメータである。
【０１６２】
ＣＤ３５２は、ＰＴＸメッセージ応答３７２の受信を明示的に応答しない。その代わりに、送信されたＰＴＸメッセージ応答３７２が失われた場合には、ＣＤ３５２  ＰＴＴ再送タイマが満了となり、ＣＤ３５２はそのＰＴＴ要求３７０を再送する。再送されたＰＴＴ３７０が失われたＰＴＸ応答３７２と同じｉｄを有しているので、ＳＩＰユーザエージェントサーバ２５２は、再送されたＰＴＴメッセージ要求３７２を別個のプッシュ対トーク要求イベントとして処理するのでなく、失われたＰＴＸメッセージ応答３７０を再度送信することによって応答する。
【０１６３】
ＰＴＸメッセージ３７４は、保留のメディアトラフィックのソースの身元を通知するために、ＳＩＰユーザエージェントサーバ２５２によって、現在ネットに参加している各ＣＤ３５２に送信される。ＰＴＡメッセージ３７４は、トークスパートの終了を正式に通知するのに使用される。
【０１６４】
ＰＴＡメッセージ３７４は、ｏｐコード、話者、そして予約などのフィールドを具備する。ｏｐコードフィールドは、ＰＴＡメッセージ３７４が、話者によって識別されたＣＤ３５２に対して（またはＣＤ３５２によって）フロアの許可（又は解放）を通知しているかどうかを示す。話者フィールドは、次のＰＴＡメッセージ３７４が送信されるまでメディアトラフィックをネットに対して調達する、ＣＤ３５２を識別する。予約フィールドは、将来の能力のためにＰＴＡメッセージ３７４における空間を予約する。
【０１６５】
ＰＴＴフロア制御要求３７０が成功だったＣＤ３５２は、それがフロアの制御を有することを通知するＰＴＡメッセージ３７４を受信する（または受信しない）。ＵＤＰは、データグラムの順序を必ずしも保存しないので、メッセージは、それが対応するＰＴＸ応答３７２を受信する前あるいは受信した後に到着する。しかしながら、ＳＩＰユーザエージェントサーバ２５２は、（ＰＴＡ承認通知である場合）、それがメディアを転送することを開始することを期待する前にＰＴＡ通知３７４を送信する。要求するＣＤ３５２は、それはフロアの制御を勝ち取り、それがメディアをネットに送信することを開始できるかどうかを決定するためにＰＴＸ承認メッセージ応答３７４の受信のみに依存する、受信ＰＴＡメッセージ３７４を無視することが推奨される。
【０１６６】
“そこにいるか”ＡＹＴメッセージ４０４（図１３）は、考察対象のＣＤ３５２がＩＰを使用して到達可能であることを確認するために、ＳＩＰユーザエージェントサーバ２５２によって個々のＣＤ３５２に送信される。ＡＹＴメッセージ４０４の収集物は、ネットがもはや休止モードでないことを合図するために、ネット参加者のグループに送信される。
【０１６７】
ＡＹＴメッセージ４０４は、ｏｐコード、ｉｄ、及び予約などのフィールドを具備する。ｏｐコードは、ＣＤ３５２がまだ到達可能であるかどうか、または、ＳＩＰユーザエージェントサーバ２５２が、ネットの関連したＣＤＭＡセルラトラフィックチャネルを休止モードの外に出すために、ＳＩＰユーザエージェントサーバ２５２がＡＹＴメッセージ４０４を使用しているかどうかを決定するために、ＭＣＵノード２０８がＡＹＴメッセージ４０４を送信しているかどうかを示す。ｉｄフィールドは、続く“私はここです”ＩＡＨ応答メッセージ４０８が特別のＡＹＴ要求メッセージ４０４を参照することを可能にするために、独自のメッセージ識別子を提供する。ｉｄは、潜伏推定を生成するためのタイムスタンプ参照を含む。予約フィールドは、将来の能力のためにＡＹＴメッセージ４０４における空間を予約する。
【０１６８】
ＣＤ３５２は、ＡＹＴメッセージ４０４が送信されるときに休止モードであるか、または、休止モードでない。すべての場合において、ＣＤ３５２は、ＩＡＨ応答メッセージ４０８で受信したＡＹＴメッセージ４０４に応答する。
【０１６９】
ＳＩＰユーザエージェントサーバ２５２は、ＣＤ３５２は概して、ＩＡＨ応答４０８でＡＹＴメッセージ４０４に応答する。ＩＡＨ応答４０８が適当なタイムアウト内に受信されなかった場合には、ＳＩＰユーザエージェントサーバ２５２は、新たなｉｄをもつ新たなＡＹＴメッセージ４０８を送信する。構成可能な再送数の後に、ＡＹＴメッセージ４０８に対する応答がＣＤ３５２から受信されなかったならば、ＣＤ３５２は、到達不可能であると想定され、ＳＩＰユーザエージェントサーバ２５２は、それをネット参加者の現在のリストから除去する。除去されたＣＤ３５２からの将来のメディアシグナリングメッセージは、ＣＤ３５２が首尾よくネットに再度参加するまで無視されるか（またはエラー応答を生成する）。
【０１７０】
ＩＡＨメッセージ４０８は、以前に送信されたＡＹＴメッセージ４０４の受信を確認するために、ＣＤ３５２によってＳＩＰユーザエージェントサーバ２５２に送信される。ｉｄフィールドは、ＣＤ３５２が承認している以前に受信されたＡＹＴメッセージ４０８を参照する。ｓｒｃフィールドは、ＩＡＨメッセージ４０８応答をＳＩＰユーザエージェントサーバ２５２に送信するＣＤ３５２を独自に識別する。予約フィールドは、選択的な能力のためにＩＡＨメッセージ４０８における空間を予約する。
【０１７１】
ＳＩＰユーザエージェントサーバ２５２は、ＣＤ３５２がＩＡＨ応答メッセージ４０８ですべての受信したＡＹＴメッセージ４０８を承認することを想定する。参照されたＡＹＴメッセージ４０８が、ＣＤ３５２がＮＢＳ沈黙状態に接続され続けており、ＮＢＳメディアトラフィックとシグナリングを受動的に監視していることを確認するために送信されたのであれば、ＳＩＰユーザサーバエージェント２５２は、将来の参照のためにＩＡＨ受信４０８の時間を記述する。
【０１７２】
ＳＩＰユーザエージェントサーバ２５２は、ｉｄフィールドの値を規定する役目をもつので、ＳＩＰユーザエージェントサーバ２５２は、特別のＣＤ３５２が到達可能かどうかを決定して追跡するためにｉｄを使用する。
【０１７３】
（図１３に参照番号４１２として示されている）ＺＺＺまたはスリープメッセージは、ＣＤ３５２にそのオーバザエア資源を解放して休止モードに移行することを促すために、ＳＩＰユーザエージェントサーバ２５２によってＣＤ３５２に送信される。ＣＤ３５２は、（それが同時に他のパケットアプリケーションを支持しているならば）このメッセージを無視することを選択する。
【０１７４】
ＺＺＺメッセージは、ｉｄ及び予約などのフィールドを具備する。ｉｄフィールドは、ＣＤ３５２がＺＺＺメッセージの複数受信をすることを可能にするために、独自のメッセージ識別子を提供する。予約フィールドは、選択的または将来の能力のためのＺＺＺメッセージにおける空間を予約する。
【０１７５】
ＣＤ３５２は、ＺＺＺメッセージの受信を確認応答しない。ＺＺＺメッセージが損失された場合には、エラー回復は概して企てられない。損失されるＺＺＺメッセージに対して防御するために、ＳＩＰユーザエージェントサーバ２５２は、同じＺＺＺメッセージの多重複写を個々のＣＤ３５２に送信する。ＳＩＰユーザエージェントサーバ２５２は、同じスリープメッセージの複写が所定の時間間隔内に送られたことを確実にするとともに、ＣＤ３５２は、そのオーバザエアリンクを解放して休止状態に移行する前に（新たなｉｄをもつ）第１のスリープメッセージが受信されたときからの時間間隔よりも長い時間待機する。
【０１７６】
図１５に示すように、ＡＳＫメッセージ３８２は、ＳＩＰユーザエージェントサーバ２５２との接続性を確認するために、ＣＤ３５２によって問い合わせ３８４としてＳＩＰユーザエージェントサーバ２５２に送信される。ＡＳＫメッセージ３８２は、ＣＤ３５２がＣＤ３５２がネット参加者として列挙されたままにするかどうかを決定することを可能にする。ＣＤ３５２は、サービス妨害またはそれがＳＩＰユーザエージェントサーバ２５２との接続性を一時的に失った他の期間の後で、その参加を確認する。
【０１７７】
ＡＳＫメッセージ３８２は、ｉｄ、ｓｒｃ、予約などのフィールドを具備する。ｉｄフィールドは、続くＦＹＩ応答メッセージが特定のＡＳＫ要求メッセージを参照することを可能にするために、独自の非ゼロメッセージ識別子を提供する。ｓｒｃフィールドは、ＡＳＫメッセージ３８２要求をＳＩＰユーザエージェントサーバ２５２に送信するＣＤ３５２を独自に識別する。予約フィールドは、選択または将来の能力のためにＡＳＫメッセージ３８２における空間を予約する。
【０１７８】
ＣＤ３５２は、ＳＩＰユーザエージェントサーバ２５２は、ＦＹＩ応答メッセージ３８６で受信したＡＳＫメッセージ３８２に対して応答する。ＦＹＩ応答３８６が所定のタイムアウト期間内に受信されなかったならば、ＣＤ３５２は、新たなｉｄをもつ新しいＡＳＫメッセージ３８２を送信する。構成可能な数の再送の後に、ＡＳＫメッセージ３８２がＳＩＰユーザエージェントサーバ２５２から受信しなかったならば、ＳＩＰユーザエージェントサーバ２５２は、到達不可能であると想定され、ＣＤ３５２はグループサービスアイドル状態に遷移する。
【０１７９】
ＦＹＩメッセージ３８６は、以前に送信されたＡＳＫメッセージ３８２の受信を確認応答するために、ＳＩＰユーザエージェントサーバ２５２によってＣＤ３５２に送信されるか、ＣＤ３５２に例外的な状態を知らせるために、ＳＩＰユーザエージェントサーバ２５２によって非同期に送信される。
【０１８０】
ＦＹＩメッセージ３８６は、ｏｐコード、アクション、ステータス、ｉｄ、及び予約などのフィールドを具備する。ｏｐコードフィールドは、ＦＹＩメッセージ３８６が保留のＡＳＫ要求３８２に対する同期応答であるかどうか、または、それが例外的な状態を示す非同期メッセージかどうかを規定する。アクションフィールドは、ＦＹＩメッセージ３８６がネット参加を確認しているかどうかを示し、それがネットのメンバリストから管理上削除されたことをＣＤ３５２に知らせるか、あるいは、規定された他の機能を実行する。ステータスフィールドは、特に、ＦＹＩメッセージ３８６がＣＤ３５２がネット参加者でなくメンバでもないことを示しているときに、ＦＹＩ応答３８６を説明する付加的な情報を提供する。ｉｄフィールドは、ＣＤ３５２が確認応答している、すでに受信したＡＳＫメッセージ３８２を参照する。ｉｄフィールドの値は、非同期ＦＹＩ応答に対して規定されていない。予約フィールドは、選択的または将来の能力のためにＩＡＨメッセージ４０８における空間を予約する。
【０１８１】
ＣＤ３５２は、ＦＹＩメッセージ３８６応答の受信を確認応答しない。同期のＦＹＩメッセージ３８６応答が失われたのならば、ＣＤ３５２は新たなＡＳＫメッセージ３８２要求を送信する。ＣＤ３５２は非同期ＦＹＩメッセージ３８６応答を要求しないので、好ましい実施形態において、ＳＩＰユーザエージェントサーバ２５２は、任意の非同期ＦＹＩメッセージ３８６応答の少なくとも３つの千鳥状の送信を行なう。
【０１８２】
参加しているＣＤ３５２は、ＰＴＴメッセージ要求３７６をＳＩＰユーザエージェントサーバに発行することによって、メディアをネットにブロードキャストするユーザの望みを信号送信する。ＳＩＰユーザエージェントサーバ２５２は、要求を承認又は否定するＰＴＸメッセージ応答３７８でＰＴＴ要求３７６に対して応答する。要求が承認されたならば、ＰＴＡ通知メッセージ３８０はすべてのネット参加者にブロードキャストする。要求するＣＤ３５２のユーザインタフェースは、ネットに対して対話する許可が承認するＰＴＸメッセージ応答３７８が受信されしだい、承認されたことをユーザに対して示す。ＣＤ３５２は通常、ユーザがＰＴＴ釦を解放するまでメディアトラフィックをブロードキャストする。ユーザがＰＴＴ釦を解放した時点で、それは、ＰＴＴ解放メッセージ３７６をＳＩＰユーザエージェントサーバ２５２に発行することによって、トーク対スパートの終わりを通知する。ＳＩＰユーザエージェントサーバ２５２は、ＰＴＸ確認メッセージ３７８で応答し、すべてのネット参加者にトークスパートの終わりを示す通知をブロードキャストする。
【０１８３】
任意のＣＤ３５２がネットのフロア（話す権利）をもつときに、ネットは、アクティブであると言われる。それ以外は非アクティブである。ネットがネットのハングタイムを越える時間の間、非アクティブならば、ＳＩＰユーザエージェントサーバ２５２は、それらのオーバザエアトラフィックチャネルを解放するために、すべての登録された移動局に個々にシグナリングすることによって、ネットを休止モードに移行させる。フロア制御要求または他のトラフィックがネットを比較的短時間に休止状態から抜け出させることを可能にするために、接続が維持される。ネットメンバは、“休止状態に移行せよ”メッセージを無視する。ＳＩＰユーザエージェントサーバ２５２は、個々のネットメンバの休止状態を明示的または暗黙のうちに追跡しない。
【０１８４】
図１５に示すように、ＳＩＰユーザエージェントサーバ２５２は、成功したフロア制御要求７０４が休止状態の間に受信されたときに、ネットを“目覚め”させて、それを休止モード６１６の外に出す。フロア制御要求７０４が承認されしだい、ＳＩＰユーザエージェントサーバ２５２は、メディアシグナリングチャネルを介してそこにいるか（ＡＹＴ）応答７１６を要求することによって、各登録されたＣＤ３５２に合図し、内部のウェイクアップタイマ７２４を開始させる。各ＣＤ３５２は、それがネットに登録された状態を維持することを望むならば、ＳＩＰユーザエージェントサーバ２５２に対するＡＹＴ応答７１６の受信を確認応答する。選択的に、休止ＣＤ３５２は、ユーザがＰＴＴをキー入力したときからＣＤ３５２トラフィックチャネルが（再）接続されるまで、メディアトラフィック７４０を格納する。ＳＩＰユーザエージェントサーバ２５２は、ウェイクアップタイマ７２４がウェイクアップタイムアウトを越えるまで対話するＣＤ３５２から受信されるメディアトラフィック７４０を記憶する。その時点で、それは、（ＡＹＴ要求７１６にまだ応答しなかった任意のメンバを含む）、メディアトラフィックの各登録されたＣＤ３５２への転送を開始する。すなわち、ＣＤ３５２及びＭＣＵノード２０８は、受取人が記憶された情報を受信する用意ができるまでデータを記憶する能力をもつ。一実施形態において、データの一部は、ＣＤ３５２及びＭＣＵノード２０８に記憶される。
【０１８５】
ＳＩＰユーザエージェントサーバ２５２はＡＹＴ要求７１６を周期的に、ＡＹＴ要求７１６の受信を確認応答しなかった任意の登録されたＣＤ３５２に対して、ＡＹＴ要求７１６を再送する。いったん、ウェイクアップタイマ７２４が第２のより長いレートライザ（遅く起きる者）タイムアウトを越えたならば、ＳＩＰユーザエージェントサーバ２５２は、そのＡＹＴ承認がまだになっているメンバＣＤ３５２を登録抹消し、ウェイクアップタイマ７２４を停止する。ＳＩＰユーザエージェントサーバ２５２は重複したＡＹＴ応答を無視する。
【０１８６】
ＣＤ３５２が現在休止しているネットに参加することを企てるならば、ＳＩＰユーザエージェントサーバ２５２は、通常通り要求を処理し、ＣＤ３５２に休止状態に移行するように合図する。合図されたＣＤ３５２は休止状態に移行せよというメッセージを無視する場合がある。
【０１８７】
拡張されたネットの不動作状態の間、ＮＢＳはパケットデータサービス呼が休止／アイドル状態５２８（図１１を参照せよ）に置かれることを可能にする。ＳＩＰユーザエージェントサーバ２５２は、各ＮＢＳネット１００に対する類似の休止コンセプトを独立して管理することによって、休止／アイドル状態５２８の中への遷移と休止／アイドル状態５２８の外への遷移を確立する。
【０１８８】
図１３は、ＣＤ３５２及びＳＩＰユーザエージェントサーバ２５２間の休止状態４００に関連する一連のメディアシグナリングメッセージを示す。概して、ＣＭから送信された制御信号に基づいて、かつ、各ＣＤにおけるタイマに基づいて、休止状態になるメッセージがネット内のすべてのＣＤに送信される。それによって、ネットに割り当てられた資源が解放され、他のユーザのために使用される。構成可能なスケジュールに関して、ＳＩＰユーザエージェントサーバ２５２は、沈黙状態にあるＣＤ３５２が到達可能を維持することを確認するために、メッセージ要求（ＡＹＴ）４０４を各ＣＤ３５２に送信する。すなわち、ＣＭ１０４は、ネットの現在のユーザ及びそれらのステータスの中央ポーリングを維持する。このことは、個々のＣＤがネットに動的に参加したりネットから去ることを可能にする。ＣＤ３５２は、メッセージ応答（ＩＡＨ）４０８でＡＹＴ要求４０４に対して応答する。ＡＹＴメッセージ４０４は、各ＣＤ３５２に必ずしも同時にブロードキャストされる必要はない。ＳＩＰユーザエージェントサーバ２５２は、同時のＩＡＨメッセージ応答４０８の洪水を受信するのを避けるために、ＡＹＴメッセージ４０４の送信をずらして行なう。
【０１８９】
ネットの構成可能なハングタイムが満了になるほど十分長くネットがアイドルであった後、ＳＩＰユーザエージェントサーバ２５２は、各ネット参加者に対してＺＺＺ要求メッセージ４１２をブロードキャストする。これに応答して、各ＣＤ３５２はそのオーバザエア資源を解放して休止モードに移行する。ネット参加者は、必ずしもＺＺＺ要求メッセージ４１２に応答しない。
【０１９０】
ＣＤ３５２による成功したＰＴＴ要求４１６は、ネットを休止モードの外に出す。一実施形態において、ネットを休止状態の外に出すために所定のしきい値の数のユーザが応答する必要がある。ＰＴＸメッセージ４２０で要求を承認する前に、ＳＩＰユーザエージェントサーバ２５２は、各すでに参加しているＣＤ３５２を休止状態の外に出すために、各ＣＤ３５２にＡＹＴメッセージ要求４２４を送信する。これは、ＣＤ３５２がＺＺＺメッセージ４１２に応答してオーバザエア資源を解放するとともに、参加しているＣＤ３５２がまだ到達可能であることを確認することを選択したときに行なわれる。他の実施形態において、ＰＴＸ休止応答タイマとして規定された、構成可能だが固定の遅延の後に、ＳＩＰユーザエージェントサーバ２５２は、ＰＴＸ承認メッセージ応答４２０を要求するＣＤ３５２に送信する。第２のウェイクアップタイマ（その値は概してたかだかＰＴＸ休止応答タイマである）が満了したならば、ＳＩＰユーザエージェントサーバ２５２は、ＰＴＡメッセージ４２８を介して全てのネット参加者に対して対話者を通知し、メディアの転送を開始する。
【０１９１】
ＭＣＵノード２０８は、送信しているＣＤ３５２から到来するデータパケットを受信し、受信したデータパケットの複写物を、送信しているＣＤ３５２が所属するネットの他のメンバに送信する役目を持つ。各データパケットがＭＣＵノード２０８によって受信されるとき、それは、メモリ（図示せず）に記憶される。送信しているＣＤ３５２は、データパケットを尋問することによって識別される。一実施形態において、送信しているＣＤを表わすＩＰアドレスは、識別を実行するための方法として各データパケットに含まれる。
【０１９２】
送信するＣＤ３５２が識別された後、ＭＣＵノードマネージャ２５６は、特定のＭＣＵノード２０８に関連するネットに所属するネットメンバのリストを、ローカルメモリ（各ＭＣＵは概して１つのネットのみが割り当てられる）から取り出す。送り先アドレスは、各アクティブネットメンバ、すなわち、ローカルメモリにおいて、現在ＭＣＵノード２０８に登録しているネットメンバに関連する。一実施形態において、送り先アドレスはＩＰアドレスである。ＭＣＵノードマネージャ２５６は次に、データパケット内で識別された送り先アドレスが第１のネットメンバの送り先アドレスを反映するために変更されることを除いて、オリジナルのデータパケットの複写を生成する。次に、ＭＣＵ２０８は、第２のネットメンバに向けられた第２の重複データパケットを生成する。このプロセスは、オリジナルのデータパケットが複写されて、ローカルメモリ内で識別されたすべてのアクティブネットメンバに送信されるまで継続される。記憶された任意のメディアの再生の間、ＣＭ１０４は、たとえ、対話しているＣＤ３５２がフロアを解放したとしても、ネットをアクティブとして扱う。すなわち、ＣＭ１０４は、中断しているＣＤ３５２が記憶されたメディアのソースよりも高い優先度をもたない限り、ＣＤ３５２が、記憶されたメディアの再生を中断することを許可しない。
【０１９３】
ＳＩＰユーザエージェントサーバ２５２は、ネットが休止モードの外に出た後に、延長された時間間隔の間、ＩＡＨメッセージ応答４３２を受信し、ＳＩＰユーザエージェントサーバ２５２は、保留のＰＴＴ要求４１６を承認する前に、すべてのネット参加者が応答するのを待たない。ＰＴＸ承認メッセージ応答４２０が送信された後にそのＩＡＨ応答４３２が到着する遅い応答者は、ネット参加者として維持されるが、すべての初期メディアトラフィック及びシグナリングを受信しない。第３のより大きな遅延の後に、ＡＹＴ要求４２４に応答しないＣＤ３５２は、概して、もはや到達不可能であると見なされて、アクティブ参加者のネットのリストから除去される。
【０１９４】
図１４は、ネットのフロアの制御により低い優先度のＣＤ４４４を中断している高い優先度のＣＤ４４２を示すＮＢＳメディアシグナリングメッセージ４４０のシーケンスを示す図である。
【０１９５】
まず、低い優先度のＣＤ４４２が、ＰＴＴメッセージ要求４４６を、ＳＩＰユーザエージェントサーバ２５２によって承認されるＳＩＰユーザエージェントサーバ２５２に提出する。ＳＩＰユーザエージェントサーバ２５２は、ＣＤ４４２がネットのフロアの制御を有することを通知する。
【０１９６】
低い優先度のＣＤ４４２がメディア４４３を送信している間に、第２のＣＤ４４４は、ＳＩＰユーザエージェントサーバ２５２に同じネットに対するＰＴＴメッセージ要求４４８を送信することによって、中断することを企てる。ＳＩＰユーザエージェントサーバ２５２は、第２のＣＤ４４４は、会話しているＣＤ４４２よりも高い優先度を有していると決定し、それに対して非同期のＰＴＸ否定メッセージ４５０を送信することによって、会話しているＣＤ４４２からネットのフロアの制御を無効にする。ＳＩＰユーザエージェントサーバ２５２は次に、通常のＰＴＸ承認メッセージ応答４５２によって、ＰＴＴ要求４４８を高い優先度のＣＤ４４４に承認し、高い優先度のＣＤ４４４がネットのフロアの制御を有することを通知する。
【０１９７】
ＳＩＰユーザエージェントサーバ２５２が中断するＣＤ４４４が高い優先度を持たないことを決定したならば、ＳＩＰユーザエージェントサーバ２５２は、直ちに、ＰＴＸメッセージ応答４５４でＰＴＴ要求４４８を拒絶し、メディア４５６を会話しているＣＤからネットの参加者に中断することなしに配布することを継続する。
【０１９８】
特定のＣＤに割り当てられた優先度は、ＳＩＰユーザエージェントサーバ２５２によって維持されるデータベース内で規定される固定の値であるが、ＳＩＰユーザエージェントサーバ２５２は、ここに記載されるように、フロアを最も高い優先度を要求する参加者に必ずしも認可しない他のアービトレーションアルゴリズムを使用する。競合を仲裁するのに使用されるＰＴＴアービトレーションアルゴリズムは、ネットごとに個々に構成可能である。
【０１９９】
最低でも、ＳＩＰユーザエージェントサーバ２５２は、ＣＤが現在の話者のそれを越える優先レベルをもつときにのみ、ＣＤが現在の話者を中断することを可能にするアービトレーションポリシーを支持する。最低の優先度を持つＣＤは、メディアトラフィックを聴取することはできるが、ネットのフロアの制御を二度ともつことはできない。
【０２００】
図１５乃至図１７は、ＣＭ１０４及びＣＤ３５２の動作をそれぞれ示している。ＣＭ１０４は、各ネットに対する不作動タイマかあるいは、ハングタイムタイマ６２０を維持する。不作動タイマ６２０が構成可能な所定の値に到達するときに、当該タイマは、メディアシグナリングメッセージ６９６を全てのネット参加者にブロードキャストすることによって、ネットを休止状態６１６に移行させるべくＣＭ１０４をトリガする。メッセージを受け取ったとき、参加しているＣＤ３５２は、そのトラフィックチャネルを解放し、休止／アイドル状態８４４に移行するかあるいは、ＣＤ３５２は、そのメッセージを無視して、接続状態８２０を維持する。特に、ダイヤルアップＰＳＴＮユーザなどの、チャネルを介して動作しないネット参加者は、メディアシグナリングメッセージを無視する。
【０２０１】
ネットのハングタイムタイマ６２０は、ＰＴＸ承認メッセージ応答６３２が結果である期間に進行しない。タイマ６２０は、ＰＴＸ承認メッセージ６３２が送信され、ＰＴＸ承認６３２が満了するまでゼロにとどまるかあるいは、ＣＤ３５２は、ネットのフロア８７２を解放する。フロアがいったん解放されると、ハングタイムタイマは次のＰＴＸ承認メッセージ応答６３２が送信されるまで進行する。
【０２０２】
参加しているＣＤ３５２が休止／アイドル状態８４４に移行するならば、それは、ＣＤ３５２に向けられているパケットデータがＣＤ３５２ＭＡセルラインフラストラクチャに到着するか、あるいは、ＣＤ３５２がパケットデータサービスを使用して送信すべきデータを生成するまで、休止状態にとどまる。前者の場合は、ＣＭ１０４（９０８）によってＣＤ３５２に送信されたトラフィックによってトリガされる。後者の場合は、ユーザが、ネットにブロードキャスト８２４する許可を要求するＰＴＴボタンをキー操作することによってトリガされる。ＮＢＳに無関係の他のトリガも可能である。
【０２０３】
ネットそれ自身は、１つ以上の参加者がＰＴＴ要求７０４の送信をトリガするまで、休止状態にとどまる。ＣＭ１０４が、それは、（複数の要求に対処するための必要なアービトレーションを実行することを含む）ＰＴＴ要求メッセージ７０４を承認できると決定したならば、それは、推移を休止／アイドル状態８４４の外にトリガするべく、各列挙されたネット参加者に要求７１６を送信する。任意の特別なＣＤ３５２にとって、トリガは、必要であるか又は必要ではない。しかし、各ＣＤ３５２は、要求に応答する。このような状況において、ネットが休止状態６１６の外に推移しているときに、ＣＭ１０４は、固定の、しかし、構成可能な遅延である、ＰＴＸ休止応答タイマ７２８、が満了するまで、初期のＰＴＸ承認応答メッセージ７５６を送信することを差し控える。タイマ７２８が満了した後、そのデフォルト値は概してゼロであり、ＣＭ１０４は、いつものとおりＰＴＸ承認７５６を送信する。しかしながら、ＣＭ１０４は、第２の関連タイマ、ネットのウェ−クアップタイマ７２４が満了になるまで、メディアをネットに転送することを差し控える。両方のタイマは、ＣＭ１０４が休止ネットのフロアが承認可能であると決定したときに、リセットされる。ウェ−クアップタイマ７２４の値は、ＰＴＸ休止応答タイマ７２８の値以上である。ウェ−クアップタイマ７２４が満了になった後、ＣＭ１０４は、メディア及びメディアシグナリング及びトラフィックフローを通常どおり転送することを開始する。両方のタイマはネットごとに構成可能である。
【０２０４】
ＣＭ１０４が、ＰＴＴ要求７０４を承認できないと決定したならば、それは、直ちに、ＰＴＸ否定メッセージ７０８に従って、要求するＣＤ３５２に合図し、ネットは休止状態を維持する。
【０２０５】
休止／アイドル状態８４４に移行したＣＤ３５２は、システム変更が必要であり、サービスオプションを変更するか、あるいは、それがＡＹＴ”ウェイクアップ”メッセージ９０８を決して受信することがなく応答もしない他のサービス妨害を受ける。ＣＭ１０４は、ウェイクアップ及びＰＴＸ休止応答タイマでリセットする第３の長いタイマを維持する。この長いレイトライザタイマ（図示せず）は、ネットごとに構成可能である。レイトライザタイマが満了した後で、ＡＹＴウェイクアップメッセージ９０８に対するそのＩＡＨ応答９１６が受信しなかったＣＤ３５２は、ＣＭ１０４によってアクティブ参加者のネットリストから除去される。除去されたＣＤ３５２は、ＣＭ１０４のＳＩＰサーバ２３６に再登録され、再度ネット参加者になる。
【０２０６】
ＣＤ３５２が休止／アイドル状態８４４から接続状態に遷移することに関連する遅延のために、ＣＤ３５２及びＣＭ１０４は、ユーザによって感知される遷移遅延を相殺するために、音声バッファリングを実行する。
【０２０７】
概して、ＣＤ３５２ユーザインタフェースは、視覚的または聴覚的な機構を介して、ユーザに、ＰＴＴキーの押し下げを処理するにあたっての２つの道標を提供する。第一は、ＣＤ３５２がＰＴＴキー押し下げを削除したことを知らせる。第二は、ＣＤ３５２がＣＭ１０４のＰＴＸメッセージ応答８６８を受信したことを知らせる。ＰＴＸメッセージ応答８６８がメディアにブロードキャストする許可を承認するならば、ＣＤ３５２ユーザインタフェースは、ユーザがネットに話し始めることの表示を提供する。あるいは、ＣＤ３５２ユーザインタフェースは、ユーザがネットに対して話すための許可（８５６）を否定されたことを示す。
【０２０８】
ネットが休止状態でないとき、ＰＴＴ要求メッセージの送信と対応ＰＴＸ応答メッセージの受信間の待ち時間は、比較的小さく、ユーザは、ＰＴＴ釦がキー入力された後ほどなく話す許可が承認されることに慣れてくる。しかしながら、ネットが休止状態のときに、比較的大きな遅延は、ＰＴＴ要求８５２の送信と、対応するＰＴＸメッセージ８５６または８６８の受信を分離する。遅延は起こりうる、なぜならば、ＣＤ３５２がそのトラフィックチャネルを解放した後、パケットデータサービスを再度確立する上での遅延を経験するからである。また、遅延は発生する、なぜならば、ＣＭ１０４は、ネットのウェイクアップタイマがＰＴＸメッセージ応答８５６または８６８を送信する前に満了になるまで待機するからである。このような状況において、ＣＤ３５２は、ＣＭ１０４が結果的にＰＴＸ承認応答８６８で応答して、ＰＴＴ要求８７６が承認されたことをユーザに知らせることを選択的に想定する。ユーザが”早い”と話すのを開始することを可能にするために、ＣＤ３５２は、ＰＴＸ要求が到着するかあるいは、それがすべての利用可能な内部バッファ空間を消費するまで、内部的に音声を記憶する。
【０２０９】
ＰＴＸメッセージ応答が到着して要求が承認されたならば、ＣＤ３５２は、（記憶された）音声の送信を開始し、オペレーションは通常通りに進行する。ＰＴＸメッセージ応答が到着し、要求が否定されたならば、ＣＤ３５２は、ユーザに、ネットに対して話すための許可が否定されたことを知らせる。ユーザはすでに話すことを開始したので、この遅い否定は、優先権の競合のように見える。このような状況において、ユーザを不必要に混乱させることを避けるために特別の注意がなされる。ＣＭ１０４は、ユーザが、保留のＰＴＴ要求が結局承認されるであろうという仮定のもとに話す時間の長さを制限するためにできるだけ早く、ＰＴＸ否定メッセージ８５６を通知する。
【０２１０】
利用可能な内部バッファ空間が消費される前にＰＴＸメッセージが到着しないならば、ＣＤ３５２は、ＰＴＸ否定メッセージ８５６をシミュレートして、話し（８５６）を停止することをユーザに通知する。ＣＤ３５２がサービスを再度確立できなかったならば、それは、この時点で他のエラーアクションをとる必要があるので、それをユーザに知らせる。一方、このときまでに、パケットデータサービスが再度確立されたならば、ＣＤ３５２は、この状況において、ＰＴＸ承認メッセージ応答８６８の受信に先だって音声メディアをＣＭ１０４に送信することを開始する。
【０２１１】
ウェイクアップタイマが満了になるのを待つ間、ＣＭ１０４は、保留のＰＴＴ要求８５２を送信し、結果的に対応するＰＴＸ承認応答８６８を送信する、ＣＤ３５２からネットのメディアチャネルに関して受信した音声メディアを一時記憶する。ウェイクアップタイマが満了になると、ＣＭ１０４は、ＰＴＸ承認応答８６８を要求するＣＤ３５２に送信し、ＰＴＡ通知をネットにブロードキャストし、記憶された音声メディアのブロードキャストを開始する。ウェイクアップタイマが満了になる前にＣＭ１０４の内部音声バッファが消費されると、ＣＭ１０４はただちにＰＴＸ否定メッセージ８５６を要求するＣＤ３５２に送信する。記憶された音声の処理は規定されていないが、ＣＭ１０４は、ウェイクアップタイマが満了になった後、その音声バッファの内容をネットに送信する。いったんウェイクアップタイマが満了になると、ネットオペレーションは通常どおり進行する。
【０２１２】
ＣＤ３５２における音声メディアバッファのサイズは、ＩＳ−７０７．５休止／アイドル状態８４４からＩＳ−７０７．５接続状態８１２へと遷移すると予期される最大時間に基づいて、選択される。同様にして、ＣＭ１０４におけるメディアバッファのサイズは、ＣＭ１０４のネットデータベース２３２に規定されたネットのウェイクアップタイマの（最大）値に基づいて選択される。
【０２１３】
ＣＭ１０４の状態についてのより完全な記載を以下に行なう。ＣＭＣＳＴＩＣＤＤＲ１８２  ＣＭ１０４は、ネットの各状態に対して図１５に示されるＮＢＳメディアシグナリング状態ダイヤグラムを実行する。ネットが生成されるとき、アイドル状態６０４にあるＣＭＣＳＴＩＣＤＤＲ１８３を初期化する。ネット参加者がＰＴＴ６０８を要求するか、フロアの制御を承認されないかぎり、ネットはアイドル状態６０４を維持し、休止状態（６１６）ではない。ＣＭ１０４は、アイドル状態６０４に移行すると、ハングタイムタイマ６２０をゼロにリセットする。ＣＭＣＳＴＩＣＤＤＲ１８４  ＣＭ１０４は、ネット参加者からＰＴＴ要求６０８が受信されたとき、アイドル状態６０４から承認状態６１２に遷移する。ＣＭＣＳＴＩＣＤＤＲ１８５  ＣＭ１０４は、ハングタイムタイマが満了になったとき、アイドル状態６０４から休止状態６２４に移行する。
【０２１４】
ＣＭＣＳＴＩＣＤＤＲ１８６  ＣＭ１０４は、承認状態６１２からアイドル状態６０４に遷移し、アービトレーションアルゴリズムが要求するＣＤ３５２に対するフロアの制御を否定するならば、要求するＣＤ３５２に対してＰＴＸ否定６２６応答を送信する。ＣＭＣＳＴＩＣＤＤＲ１８７  ＣＭ１０４は、承認状態６１２から通知状態６２８に遷移し、アービトレーションアルゴリズムが、要求する（または中断する）ＣＤ３５２に対するフロアの制御を承認するならば、ＰＴＸ承認応答６３２を要求するＣＤ３５２に送信する。ＰＴＸ承認応答６３２を送信した後、ＣＭ１０４は、要求する（または中断する）ＣＤ３５２をネットの現在の話者であるとみなす。ＣＭＣＳＴＩＣＤＤＲ１８８  ＣＭ１０４は、通知状態６２８から対話状態６３６に遷移し、通知状態６２８に移行するとただちに、すべてのネット参加者に対して新たな話者を通知するＰＴＡメッセージ６４０を送信する。ネット参加者からＰＴＴ要求６４４または解放メッセージ６４８が受信されず、ネットのフェイルセーフタイマ６５２が満了にならないかぎりは、現在の話者は対話状態６３６を維持する。ＣＭ１０４は。対話状態６３６に移行するとすぐに、ネットのフェイルセーフタイマ６５２をリセットする。対話状態６３６にある間、ＣＭ１０４は、ネットの現在の話者からネットにメディアをブロードキャストする。
【０２１５】
ＣＭＣＳＴＩＣＤＤＲ１８９  ＣＭ１０４は、ＰＴＴ要求メッセージ６４４がネット参加者から受信したときに、対話状態６３６から仲裁状態６５６に遷移する。ＣＭＣＳＴＩＣＤＤＲ１９０  ＣＭ１０４は、ＰＴＴ解放メッセージがネットのフロアの制御と共にＣＤ３５２から受信されたときに、対話状態６３６から解放確認状態６６０に遷移する。ＣＭＣＳＴＩＣＤＤＲ１９１  ＣＭ１０４は、フェイルセーフタイマ６５２が満了になったとき、対話状態６３６からフェイルセーフ回復状態６６４に遷移する。ユーザは概して、フェイルセーフタイマが満了する前に、残りの時間の量が与えられる。ＣＭＣＳＴＩＣＤＤＲ１９２  ＣＭ１０４は、それが対話状態６３６を維持している間、ネットの現在の話者から受信したメディアトラフィックをネットにブロードキャストする。ＣＭＣＳＴＩＣＤＤＲ１９３、ネットのメディアバッファが空でないときに、ＣＭ１０４は、それがメディアトラフィックをネットにブロードキャストしている間、ネットの現在の話者から受信したメディアを一次記憶することを継続する。
【０２１６】
ＣＭ１０４は、対話状態６３６にある間、ＰＴＴ要求メッセージ６４４を受信した結果、仲裁状態６５６に移行する。ＰＴＴ要求メッセージ６４４に端を発したＣＤ３５２は、中断参加者として知られる。中断参加者及び現在の話者が一致するならば、ＣＭ１０４のＰＴＸ承認メッセージ６６８は失われ、現在の話者はそのＰＴＴ要求６４４を再送する。ＣＭＣＳＴＩＣＤＤＲ１９４  ＣＭ１０４は、仲裁状態６５６から対話状態６３６に遷移し、中断参加者及びネットの現在の話者が一致するならば、中断参加者に対してＰＴＸ承認メッセージ６６８を送信する。ＣＭＣＳＴＩＣＤＤＲ１９５  ＣＭ１０４は、中断参加者及びネットの現在の話者が異なるならば、仲裁状態６５６に移行するとただちに、仲裁アルゴリズムをネットの現在の話者及び中断参加者に適用する。
【０２１７】
ＣＭＣＳＴＩＣＤＤＲ１９６  ＣＭ１０４は、仲裁状態６５６から対話状態６３６に遷移し、仲裁アルゴリズム規則が現在の話者を支持しているならば、中断参加者に対してＰＴＸ否定メッセージ６７２を送信する。ＣＭＣＳＴＩＣＤＤＲ１９７  ＣＭ１０４は、仲裁状態６５６から承認状態６１２に遷移し、仲裁アルゴリズム規則が中断する参加者を支持しているならば、ネットの現在の話者に対してＰＴＸ中断メッセージ６７６を送信する。ＣＭＣＳＴＩＣＤＤＲ１９８  ＣＭ１０４は、解放確認状態６６０から解放通知状態６８０に遷移し、解放通知状態６８０に移行するとただちに、ＰＴＸ確認メッセージ６８４を現在の話者に対して送信する。
【０２１８】
ＣＭＣＳＴＩＣＤＤＲ１９９  ＣＭ１０４は、フェイルセーフ回復状態６６４から解放通知状態６８０に遷移し、フェイルセーフ回復状態に移行するとただちに、ＰＴＸ否定メッセージ６８８を現在の話者に送信する。ＣＭＣＳＴＩＣＤＤＲ２００  ＣＭ１０４は、解放通知状態６８０からアイドル状態６０４へと遷移し、解放通知状態６８０に移行するとただちに、ＰＴＡ解放通知６９２をすべてのネット参加者に送信する。ＣＭＣＳＴＩＣＤＤＲ２０１  ＣＭ１０４は、休止状態に移行６２４から休止状態６１６に遷移し、ネットがすべてのネット参加者に対して休止状態になったことを通知するＺＺＺメッセージ６９６を送信する。ネットの状態マシンは、ネット参加者がフロアの制御を要求しない限り、休止状態６１６を維持する。ＣＭＣＳＴＩＣＤＤＲ２０２  ＣＭ１０４は、ネット参加者からのＰＴＴ要求７０４が受信されたときに、休止状態６１６から、ウェイクアップ状態７００に遷移する。
【０２１９】
ＣＭＣＳＴＩＣＤＤＲ２０３  ＣＭ１０４は、ウェイクアップ状態７００から休止状態６１６に遷移し、アービトレーションアルゴリズムが要求するＣＤ３５２に対するフロアの制御を否定するならば、ＰＴＸ否定応答７０８を要求するＣＤ３５２に対して送信する。ネットは休止状態なので、このことは、要求するＣＤ３５２が聴取のみの特権をもっているときのみに発生する。ＣＭＣＳＴＩＣＤＤＲ２０４  ＣＭ１０４は、ウェイクアップ状態７００からウェイクアップ保留状態７１２に遷移し、アービトレーションが要求するＣＤ３５２に対するフロアの制御を承認するならば、すべてのネット参加者に対してＡＹＴウェイクアップ要求７１６を送信する。ＡＹＴウェイクアップ要求７１６を送信した後、ＣＭ１０４は、要求するＣＤ３５２をネットの保留の話者として扱う。
【０２２０】
ＰＴＴ要求メッセージ７２０がネット参加者から受信し、ウェイクアップタイマ７２４が満了にならず、ＰＴＸ休止応答タイマ７２８が満了にならない限り、ＣＭ１０４はウェイクアップ保留状態７１２を維持する。ウェイクアップ保留の状態７１２に移行すると、ＣＭ１０４は、ウェイクアップタイマ７２４及びＰＴＸ休止応答タイマ７２８をリセットする。ＣＭＣＳＴＩＣＤＤＲ２０５  ＣＭ１０４は、ＰＴＴ要求メッセージ７２０がネットの保留話者とは異なるＣＤ３５２から受信したときに、ウェイクアップ保留状態７１２から休止仲裁状態７３２に遷移する。ＣＭＣＳＴＩＣＤＤＲ２０６  ＣＭ１０４は、ネットのウェイクアップタイマ７２４が満了するときに、ウェイクアップ保留状態７１２から休止承認状態７３６に遷移する。ＣＭＣＳＴＩＣＤＤＲ２０７  ＣＭ１０４は、ＰＴＸ休止応答タイマ７２８が満了になったとき、ウェイクアップ保留状態７１２から一次記憶承認状態７４０に遷移する。
【０２２１】
ＣＭＣＳＴＩＣＤＤＲ２０８  ＣＭ１０４は、休止仲裁状態７３２に移行したときにただちに、アービトレーションアルゴリズムをネットの保留話者及び中断参加者に適用する。ＣＭＣＳＴＩＣＤＤＲ２０９  ＣＭ１０４は、アービトレーションアルゴリズム規則が保留話者を支持しているならば、休止仲裁７３２からウェイクアップ保留状態７１２に遷移し、中断参加者に対してＰＴＸ否定メッセージ７４４を送信する。ＣＭＣＳＴＩＣＤＤＲ２１０  ＣＭ１０４は、アービトレーションアルゴリズム規則が中断参加者を支持しているならば、休止仲裁状態７３２からウェイクアップ保留状態７１２に遷移し、保留話者に対してＰＴＸ否定メッセージ７４４を送信し、中断参加者をネットの新たな保留話者であるとみなす。
【０２２２】
ＣＭＣＳＴＩＣＤＤＲ２１１  ＣＭ１０４は、休止承認状態７３６に移行するとただちに、休止承認状態７３６から通知状態６２８に遷移し、ＰＴＸ承認応答７４８をネットの保留話者に送信する。ＣＭＣＳＴＩＣＤＤＲ２１２  ＣＭ１０４は、一次記憶承認状態７４０に移行するとただちに、一次記憶状態７４０から一次記憶状態７５２に遷移し、ＰＴＸ承認応答７５６をネットの保留話者に対して送信する。ネットの状態マシンは、ウェイクアップタイマ７２４が満了にならないかぎりにおいて、一次記憶状態７５２を維持する。一次記憶状態７５２において、ＣＭ１０４は、ネットの保留話者から受信したメディアトラフィックを一次記憶する。
【０２２３】
ＣＭＣＳＴＩＣＤＤＲ２１３  ＣＭ１０４は、ウェイクアップタイマ７２４が満了になるとき、一次記憶状態７５２から通知状態６２８に遷移する。ＣＭＣＳＴＩＣＤＤＲ２１４  ＣＭ１０４は、それが一次記憶状態７５２を維持している間、ネットのメディアバッファにおけるネットの保留話者から受信したメディアトラフィックを一次記憶する。ＣＭＣＳＴＩＣＤＤＲ２１５  ＣＭ１０４は、メッセージを送信したＣＤ３５２にエラー状態７６４におけるＥＲＲ応答７６０を送信することによって、無効または予約フィールド値を含むメディアシグナリング要求に応答するか、あるいは、当該要求を無視する。
【０２２４】
ＣＭＣＳＴＩＣＤＤＲ２１６  ＣＤ３５２は、ユーザがネットに参加しているときはいつでも、図１６に示すＮＢＳメディアシグナリング状態図８００を実行する。ＣＭＣＳＴＩＣＤＤＲ２１７  ＣＤ３５２は、ＳＩＰ  ＡＣＫメッセージ８０８をＣＭ１０４に送信することによって、ＣＤ３５２がネットのセッション記述を受信した後、開始状態８０４に初期化する。ＣＭＣＳＴＩＣＤＤＲ２１８  ＣＤ３５２は、開始状態８１２に移行したときにただちに、開始状態８０４から開始待機状態８１２に遷移し、ＡＳＫ要求メッセージ８１６をＣＭ１０４に送信する。
【０２２５】
ＣＤ３５２は、ユーザがプッシュ対話釦８２４を推さない限り、ＣＭ１０４からのＰＴＡメッセージ８２８を受信しない限り、そして、ＣＭ１０４からのスリープＺＺＺメッセージ８３２を受信しない限り、聴取状態８２０を維持する。ＣＭＣＳＴＩＣＤＤＲ２１９  ＣＤ３５２は、ユーザがプッシュ対トーク釦８２４を押し下げたときに、聴取状態８２０からフロア要求状態８３６に遷移する。ＣＭＣＳＴＩＣＤＤＲ２２０  ＣＤ３５２は、ＰＴＡメッセージ８２８がＣＭ８２０から受信されるときに、聴取状態８２０から話者通知状態８４０に遷移する。ＣＭＣＳＴＩＣＤＤＲ２２１  ＣＤ３５２は、スリープＺＺＺメッセージ８３２が、ＣＭ１０４から受信されるときに、聴取状態８２０から休止アイドル状態８４４に遷移する。ＣＭＣＳＴＩＣＤＤＲ２２２  ＣＤ３５２は、フロア要求状態８３６に移行するとただちに、フロア要求状態８３６からフロア待機状態８４８に遷移し、ＰＴＴ承認要求８５２をＣＭ１０４に送信する。
【０２２６】
ＣＤ３５２は、ＰＴＸ応答メッセージ８５６がＣＭ１０４から受信されない限り、ＰＴＴ中止タイマ８６０が満了に成らない限り、フロア待機状態８４８を維持する。ＣＤ３５２は、フロア待機状態８４８に移行したときに、そのＰＴＴ中止タイマ８６０及びＰＴＴ再送タイマ（図示せず）をリセットする。ＣＭＣＳＴＩＣＤＤＲ２２３  ＣＤ３５２は、ＰＴＴ承認応答メッセージ８６８がＣＭ１０４から受信されるときに、フロア待機状態８４８から対話状態８６４に遷移し、ユーザはネットのフロアの制御を獲得したことをユーザに警告する。ＣＭＣＳＴＩＣＤＤＲ２２４  ＣＤ３５２は、ＰＴＸ否定メッセージ８５６がＣＭ１０４から受信されるときに、フロア待機状態８４８からフロア喪失状態８７２に遷移する。ＣＭＣＳＴＩＣＤＤＲ２２５  ＣＤ３５２は、フロア待機状態８４８を維持し、そのＰＴＴ再送タイマが満了になった後、同じＰＴＴ要求８７６をＣＭ１０４に再送する。ＣＭＣＳＴＩＣＤＤＲ２２６  ＣＤ３５２は、そのＰＴＴ中止タイマ８６０が満了になった後、フロア待機状態８４８から聴取状態８２０に遷移する。ＣＭＣＳＴＩＣＤＤＲ２２７  ＣＤ３５２は、ＰＴＸ応答を待つ間にユーザがプッシュ対トーク釦８８４を押したならば、対話状態８６４からフロア解放状態８８０に遷移する。
【０２２７】
ＣＤ３５２は、ＰＴＸ中断メッセージ８８８がＣＭ１０４から受信されない限り、ユーザがプッシュ対トーク釦８８４を解放しない限り、対話状態８６４を維持する。ＣＭＣＳＴＩＣＤＤＲ２２８  ＣＤ３５２は、ＰＴＸ中断応答メッセージ８８８がＣＭ１０４から受信されたときに、対話状態８６４からフロア喪失状態８７２に遷移する。ＣＭＣＳＴＩＣＤＤＲ２２９  ＣＤ３５２は、ユーザがプッシュ対トーク釦を解放したときに、対話状態８６４からフロア解放状態８８０に遷移する。ＣＭＣＳＴＩＣＤＤＲ２３０  ＣＤ３５２は、ＰＴＸ承認応答メッセージ８６８が、ＣＭ１０４から受信されるときに、対話状態８６４を維持する。ＣＭＣＳＴＩＣＤＤＲ２３１  ＣＤ３５２は、フロア喪失状態８７２に移行するとただちに、フロア喪失状態８７２から聴取状態８２０に遷移し、ネットのフロアの制御が喪失したことを示すメッセージでユーザ８９２に警告する。
【０２２８】
ＣＭＣＳＴＩＣＤＤＲ２３２  ＣＤ３５２は、フロア要求状態８３６に移行するとただちに、フロア解放状態８８０から解放待機状態８９６に遷移し、ＰＴＴ解放要求９００をＣＭ１０４に送信する。ＣＤ３５２は、ＰＴＸ確認応答メッセージ９０４がＣＭ１０４から受信されない限り、ＰＴＴ中止タイマ８６０が満了にならない限り、解放待機状態８９６を維持する。ＣＤ３５２は、解放待機状態８９６に移行したときに、ＰＴＴ中止タイマ８６０及びＰＴＴ再送タイマをリセットする。ＰＴＴ再送タイマは、ＰＴＴ要求または解放があるたびに、起動される。
【０２２９】
ＣＭＣＳＴＩＣＤＤＲ２３３  ＣＤ３５２は、ＰＴＸ確認応答メッセージ９０４がＣＭ１０４から受信されるときに、解放待機状態８９６から聴取状態８２０に遷移する。ＣＭＣＳＴＩＣＤＤＲ２３４  ＣＤ３５２は、そのＰＴＴ再送タイマが満了になった後、解放待機状態８９６を維持し、同一のＰＴＴ解放要求９００をＣＭ１０４に再送する。ＣＭＣＳＴＩＣＤＤＲ２３５  ＣＤ３５２は、そのＰＴＴ中止タイマ８６０が満了した後に、解放待機状態８９６から聴取状態８２０に遷移する。
【０２３０】
ＣＭＣＳＴＩＣＤＤＲ２３６  ＣＤ３５２は、話者通知状態８４０に移行するとただちに、話者通知状態８４０から聴取状態８２０に遷移し、話者に通知する。この通知は、新しい話者がフロアの制御を有し、現在の話者がフロアを解放したことを示すか、あるいは、話者が現在フロアの制御をもっていないことを示す。
【０２３１】
ＣＤ３５２は、ＡＹＴ要求メッセージ９０８がＣＭ１０４から受信されない限り、ユーザがプッシュ対トークキー８２４を押さない限り、休止アイドル状態８４４を維持する。ＣＭＣＳＴＩＣＤＤＲ２３７  ＣＤ３５２は、ＡＹＴメッセージ９０８がＣＭ１０４から受信されるとき、休止アイドル状態８４４から休止ウェイクアップ状態９１２に遷移する。ＣＭＣＳＴＩＣＤＤＲ２３８  ＣＤ３５２は、ユーザがプッシュ対トークキー８２４を押し下げたときに、休止アイドル状態８４４からフロア要求状態８３６に遷移する。
【０２３２】
ＣＭＣＳＴＩＣＤＤＲ２３９  ＣＤ３５２は、休止アイドル状態８４４の間に受信した任意のスリープＺＺＺメッセージ９１６を廃棄する。ＣＭＣＳＴＩＣＤＤＲ２４０  ＣＤ３５２は、休止ウェイクアップ状態に移行するとただちに、休止ウェイクアップ状態９１２から聴取状態８２０に遷移し、ＩＡＨ応答メッセージ９１６をＣＭ１０４に送信する。
【０２３３】
ＣＭＣＳＴＩＣＤＤＲ２４１  ＣＤ３５２は、休止アイドル状態８４４以外の任意の状態のときに、ＣＭ１０４から受信したＡＹＴピング要求９２０を受信したとき、現在の状態をセーブし、一時的にＩＡＨ返答状態９２４に遷移し、ＩＡＨ応答メッセージ９２８をＣＭ１０４に送信し、その前の状態に戻る。ＣＭ１０４は、それが、無効または予約フィールド値を使用する異形の要求などの、メディアシグナリングエラーを受信してエラー状態９３６に移行したときに、ＥＲＲ応答９３２をＣＤ３５２に送信する。
【０２３４】
ＣＭＣＳＴＩＣＤＤＲ２４２  ＣＤ３５２は、任意の状態のときに、ＣＭ１０４から受信したＥＲＲ応答９３２の受信があったときに、エラーが発生したことをユーザに警告し、ＣＤ３５２（９４０）をデセーブル状態にし、ネット（９４４）への参加をいさぎよく終了するために適切なＳＩＰシグナリングを実行する。
【０２３５】
ＣＤ３５２が休止状態（８４４）の１つに移行したときに、ＣＤ３５２は、他のＩＳ−７０７サービスオプションを介してポイント対ポイント音声サービス呼を受信するとともに、休止ネットの参加者として残る。音声サービスが停止された後、ＣＤ３５２は、ＩＳ−７０７．５休止／アイドル状態８４４に戻る。
【０２３６】
しかしながら、ＣＤ３５２がポイント対ポイント音声サービスオプション呼を受信することを選択する間に、ネットが休止状態８４４の外に出た場合、ＣＤ３５２は、ＡＹＴ“ウェイクアップ”メッセージ要求９０８を見逃し、アクテイブ参加者のリストから除去される。
【０２３７】
そのような状況において、ＣＤ３５２は、ＣＭ１０４にＡＳＫ要求３８２を送信することによって、その参加者のステータスを決定する。ＣＤ３５２がアクティブ参加者のネットのリストから除去されると、ＣＤ３５２は、ネットにもう一度参加するために、ＣＭ１０４のＳＩＰサーバに再登録する。
【０２３８】
ＣＤ３５２は、ユーザが従来のＰＳＴＮポイント対ポイント呼を生成及び受信することを可能にするとともに、グループサービスの議論に参加することを可能にする。ＣＤ３５２は内部的には複数のモードの１つで動作するが、ＣＤ３５２は、ユーザが明示的にナビゲートすることを要求される別の動作モードのコンテキストの範囲である種の機能を制限することを避ける。すなわち、グループサービスがイネーブルかつ起動している間、ポイント対ポイント音声サービス呼のシームレスな受信及び配置が行なわれる。
【０２３９】
ＣＤ３５２は、ＣＤ３５２が話者として同時にふるまっていない限り、グループサービスがアクティブであるかどうかにかかわらず、ポイント対ポイント音声サービスまたは安全なポイント対ポイントパケット音声呼を実行するのに使用される。ＣＤ３５２がネットのメンバとして登録したのならば、ＣＤ３５２はネットから登録抹消になる。選択されたポイント対ポイント呼が音声サービスオプションを介して行なわれたのならば、ＣＤ３５２は、データサービスを停止する。ポイント対ポイント呼が完了すると、ＣＤ３５２は、パケットデータサービスを透過的にイネーブルにし、現在の選択されたネットのメンバとして再登録される。
【０２４０】
ＣＤ３５２は、セルラインフラストラクチャによって課せられた制限内で、グループサービスがイネーブルされている間に、ＰＳＴＮまたはセキュアなポイント対ポイントパケット音声呼を受信するのに使用される。ＣＤ３５２がネットに参加し、選択されたネットがアクティブであるならば、ＣＤ３５２は到来するＰＳＴＮ呼に対してビジーのように見えるので、当該呼については、セルラインフラストラクチャによって適切なビジー処理がなされる。選択されたネットが沈黙でかつネットのハングタイム６２０が満了しないならば、当該呼について、セルラインフラストラクチャによって通常のビジー処理がなされる。しかしながら、選択されたネットのハングタイム６２０が満了となり、ネットは休止状態６１６に置かれ、ＣＤ３５２が、オーバザエア資源を解放したならば、呼は、インフラストラクチャによってビジー処理がなされ、ＣＤ３５２は、到来する子の受信を開始するべく呼び出される。
【０２４１】
音声サービス呼がアクティブの間、ＣＤ３５２は、ＮＢＳネットトラフィックを受信することが出来ない。音声サービス呼が完了した後に、ＣＤ３５２は、それが、１つ以上のＡＹＴ要求７１６を見逃したとき、ネットに再度加わることが必要となる。ＣＤ３５２が到来する音声サービス呼に対してビジーであるときはいつでも、呼び出し者は、セルラインフラストラクチャによって（呼の転送、音声メールなど）呼び出されたＣＤ３５２に対して何のビジー処理が規定されたかに基づいて、再度先導される。ユーザは、ネットが選択され、ＣＤ３５２がメンバとして登録されている間、到来するポイント対ポイント呼の受信をデセーブルにするために、選択的に、ＣＤ３５２を構成する。
【０２４２】
ＣＤ３５２はまた、そのＩＰネットワークアドレスが変更したかあるいは変更されつつあるかどうかを検出する。アドレス変更が発生するときにＣＤ３５２がネットに参加するのであれば、図１１に関して説明したように、ＣＤ３５２は再びそれ自身をネットにインバイトする。
【０２４３】
例えば、ローミングＣＤ３５２は、セルラシステムあるいはセルラネットワークを切り替えて、新しいＩＰネットワークアドレスを交渉する。あるいは、ＣＤ３５２は、サービス妨害を経験し、何らかの理由でパケットデータサービスオプション呼を欠落させて、サービスを再度確立した後に新たなＩＰネットワークアドレスが割り当てられる。ＣＤ３５２がアドレス変更の間にネットに参加してしており、所定の時間内に選択されたネットに再度参加しないならば、ＣＭ１０４は結果的にそのメンバシップを満了にし、選択されたネットに対してＣＤ３５２をリストから除去する。ＣＤ３５２は、それが一連のメディアシグナリングＡＹＴ要求メッセージ７１６に応答しないならば、アクティブネット参加者のリストから除去される。
【０２４４】
ＩＳ−７０７．５パケットデータサービスオプションがない場合、ＮＢＳは、既存のそして通常利用可能なクイックネットコネクト（ＱＮＣ）パケットサービスに関して動作する。しかしながら、ＱＮＣは現在のところ休止を支持しない。したがって、“休止状態に移行”などのアプリケーションレベルのメッセージは、ＱＮＣ上でＮＢＳを動作させているＣＤ３５２によって無視される。
【０２４５】
ＱＮＣは、ＩＳ−７０７．５によって提供されるそれに類似のプロトコルスタックを提供する。ＣＤ３５２は、ＩＳ−７０７．５ではなくＱＮＣを使用してパケットを交渉するべく構成され、ＱＮＣサービスが利用可能ならば、休止状態なしに、パケットデータサービスオプション接続として、選択的には、ＣＲＴＰヘッダ圧縮サポートとして、当該接続を処理する。
【０２４６】
移動体ＩＰの下で、ＣＤ３５２は、外国のエージェントを使用してネットワークに接続し、移動体にケアオブ（ｃａｒｅ ｏｆ）アドレスを割り当てる。ケアオブ（ｃａｒｅ ｏｆ）アドレスは、一時的だが、ＩＰデータグラムがインターネット上のどこからでもアドレス指定される合法のアドレスである。移動体は、そのホームエージェントに接触して移動体の現在のケアオブアドレスを知らせるのに使用される。移動体の身元を確認した後、ホームエージェントはケアオブ（ｃａｒｅ ｏｆ）アドレスを使用して、（通常のインターネットルート制御機構が直接ホームエージェントに配送するかあるいはホームエージェントのネットワークに配送する）、移動体の永久のホームアドレスに向けられたパケットを移動体に送信する。
【０２４７】
ＮＢＳは移動体ＩＰを介して動作可能であるが、移動体ＩＰは、エンド対エンド待ち時間及び、ＮＢＳメディアトラフィック及びシグナリングの認識された音声品質に対して悪影響を与える可能がある。このことは、ＣＤ３５２がその永久アドレスを使用してネットに参加し、ホームエージェントが、ネットワーク構成の観点から見て、ＣＭ１０４及びＣＤ３５２から遠くに存在する場合には特に重要である。そのような場合、メディアトラフィックは、公衆インターネットまたは移動体ＩＰが使用されない場合は必要ではない他の可変の品質のサービスネットワークを介して経路制御される。このことを防ぐために、ＣＤ３５２がケアオブアドレスを使用してＮＢＳサービスにアクセスするとともに、当該ケアオブアドレスが変更されるときにはネットに再度加わることが好ましい。
【０２４８】
ＳＩＰ呼シグナリング及びＰＧＰ公開鍵暗号化は、独自のＣＤ３５２ユーザｉｄまたは類似の独自の識別子を使用する。ユーザデータベース２３２は、メディアシグナリング要求においてＣＤ３５２によって転送されかつ使用される内部のユーザ識別子を規定する。ＣＤ３５２ユーザｉｄアドレスは好ましくは、その公開開示が既存のセルラインフラストラクチャ認証機構を具備する任意の個人データを含まない。
【０２４９】
ＣＤ３５２ユーザアドレスは、ＳＩＰ登録及びインビテーションにおけるヘッダにおいて使用され、要求されたＳＩＰシンタクスの他の部分を形成するのに使用される。ユーザアドレスは、ＳＩＰ要求を認証するのに使用される個人的なＰＧＰ鍵の生成に対する入力である。ＣＤ３５２ユーザインタフェースは、ユーザがユーザアドレスを見ることを可能にする。ＣＤ３５２ユーザインタフェースは、ＮＢＳにアクセスする能力を中断させる危険性があるが、ユーザがユーザアドレスを変更することを可能にするか、あるいは、ＳＩＰ認証要求を満足させる。
【０２５０】
ある種のサービス否定（ＤＯＳ）アタックから防御するために、またはＣＤ３５２を装うこと（マスカレード）を防止するために、ＣＭ１０４は、ネットに登録または参加する前に、ＣＤ３５２それ自身が認証することを選択的に要求する。認証は、ネットワーク上に存在する他の認証技術とは独立してアプリケーションレベルであるいはセルラインフラストラクチャレベルで実行される。ＣＤ３５２認証は、暗号化された（セキュアな）ＮＢＳネットを支持する概念及びデータ構造とは無関係に実装かつ動作される。
【０２５１】
特に、ＣＭ１０４は、ＣＤ３５２が、そのＳＩＰ要求をもつ“承認”ヘッダを含むことを要求する。承認ヘッダは、ＳＩＰメッセージがＰＧＰ公開鍵暗号化署名を使用してＣＤ３５２によって署名されることを可能にする。
【０２５２】
公開鍵暗号化は、暗号生成者（この場合、ＣＤ３５２）にのみ概して知られた個人的な秘密の事項から公開鍵及び秘密鍵を生成する。秘密と組み合わされた個人鍵は、メッセージに署名することが必要であるが、署名されたメッセージのサインを検証するために、公開鍵それ自体を使用可能である。すなわち、ＳＩＰ認証を支持するために、各ＣＤ３５２は、好ましくは、共有されることがない、個人的な秘密及び個人的な鍵が用意される。ＣＤ３５２がそれ自身を承認することが必要である各ＣＭ１０４は、ＣＤ３５２の公開鍵を知っている。公開鍵は秘密ではないので、それは、ＣＭ１０４によって維持されるデータベース２３２のユーザ部として記憶されるか、あるいは、インターネット上の一般的な公開鍵サーバを介してアクセスされる。
【０２５３】
ＣＭ１０４は、サーバ、ネット、またはユーザレベルでのＣＤ３５２承認を要求される。サーバレベルで、ＣＭ１０４は、承認信任を提供し、承認されないすべての要求を拒絶するために、すべてのクライアントがＣＭ１０４のＳＩＰサーバ２３６（図３を参照）に接続することが要求される。サーバレベル承認がイネーブルになったとき、その身元（すなわち、クライアントの公開鍵）がすでにＣＭ１０４に知られているクライアントのみが、効率よくサーバを使用する。サーバレベル承認は、多くの比較的容易なサービス否定アタックからＣＭ１０４ＳＩＰのサーバ２３６を保護することができる。
【０２５４】
ＣＭ１０４は、それが承認を介して管理する１つ以上のネットを保護するが、他のネットを“保護されない”状態にしてしまう。ＣＤ３５２がそれ自身を保護されたネットにインバイトすることを企てたならば、ＣＭ１０４のＳＩＰサーバ２３６は、ＣＤ３５２がＣＭ１０４によって承認されない限り、その要求を拒絶する。
【０２５５】
また、ＣＭ１０４は、ＣＤ３５２（又は概してＳＩＰユーザエージェントクライアント）が他のＣＤ３５２として装い、合法的なネット参加者に対するサービスを否定したり、あるいはネットのメディアチャネルを受動的に監視することを企てないことを確実にするために承認を使用する。ＣＭ１０４が、特別のＣＤ３５２が承認されることを要求するならば、ＣＭ１０４は、クライアンのＳＩＰ要求がＣＭ１０４によって検証されるＰＧＰ署名を含むことなしに、ＣＤ３５２として接続しているクライアントからのＳＩＰ要求を受け入れない。ユーザレベルで、承認は、ユーザごとに構成される（すなわち、ＣＭ１０４は、他のユーザが未承認のままになることを可能にする間、ある種のユーザが承認されることを要求する）。
【０２５６】
ＰＧＰ個人鍵は、いったんＣＤ３５２ユーザアドレスが規定された後、管理すべく内部に用意されるか、あるいは、ＣＤ３５２によって生成される。個人鍵は、外部に記憶される必要はなく、関連した公開鍵は概して、ＣＤ３５２承認を要求するＳＩＰサーバのデータベース２３２のユーザ部に挿入可能である。
【０２５７】
一実施形態において、一次ＮＢＳ  ＣＤ３５２またはネット参加者プラットフォームは、ＣＤ  ３５２ＭＡ基盤のセルラ携帯電話機である。ＮＢＳはＩＰ及びＩＰトランスポートプロトコル上に形成されているので、ＣＭ１０４に対する接続性をもつ任意のＩＰ使用可能なプラットフォームは、ＮＢＳ  ＣＤ３５２として機能する。従って、ダイヤルアップユーザは、図１に示すように、インターネットサービスプロバイダ（ＩＳＰ）によって動作される既存のＩＰ端末−サーバによってＰＳＴＮを介してＣＭ１０４に接続される。端末−サーバは、ＰＳＴＮ及びＩＰを支持するＬＡＮ間のブリッジとして機能する。端末−サーバは、高速ＰＳＴＮモデムのための接続点を提供するモデムバンク、サーバ、１つ以上のネットワークインタフェースを具備する。サーバは、各接続されたモデムユーザのための、複数の個々のＰＰＰセッションを受け入れることが可能である。サーバはまた、ルータとして機能し、個々のＰＰＰインタフェースの各々と任意のアクティブＬＡＮインタフェースとの間のＩＰパケットを経路制御する。ＣＭ１０４は、一体化された（または、外部に関連して配置される）商用の規格品としての端末−サーバを含む。
【０２５８】
ダイヤルアップ端末サーバは、そのＰＰＰセッションを介してＣＲＴＰヘッダ圧縮を交渉する能力を支持しかつ含む。同様にして、ダイヤルアップクライアントによって使用されるＰＰＰスタックは、ＣＲＴＰを含みかつそれを使用することを企てる。しかしながら、高速モデムについて利用可能なさらなる帯域のために、ダイヤルアップを基盤とするユーザがＣＲＴＰヘッダ圧縮を交渉できないことが、必ずしもネットをＲＴＰを基盤とするペイロード仕様を使用することを避けることを強制しない。
【０２５９】
端末−サーバがＣＤ３５２  ＭＡサービスプロバイダの内部ＬＡＮ、すなわち、ネットワーク構成の観点から見て、サービスプロバイダのＣＭ１０４の近くに配置されているならば、ダイヤルアップユーザは、ＩＳＰの端末−サーバ及びＣＭ１０４間のパスが、公衆インターネットの一部を横断するならば、高いエンド対エンド待ち時間に寄与するサービス品質の問題を避けることができる。ＰＳＴＮ基盤のモデムは概して、ＩＳ−７０７．５によって実行されるそれと類似の休止概念を支持しないので、ダイヤルアップ基盤のネット参加者は、ＣＭ１０４から受信するスリープメッセージを無視する。ユーザデータベース２３２は、接続するユーザがセルラなのかあるいは地上を基盤とするものなのかを追跡するけれども、この施設は提供される。一方、ＣＭ１０４はスリープまたは他のメディアシグナリングメッセージをダイヤルアップユーザに送信するかまたは送信しない。
【０２６０】
ＮＢＳサービスエリアは、統合されるべく設計されており、ユーザが、サービスエリア間でローミングし、個々のサービスエリア内で規定された同等のネットに加わることを可能にする。複数のＣＭ１０４間のピア対ピア通信は、ＳＩＰサーバダイレクト、ユーザの交換、ネットデータベースレコード、統合されたＮＢＳサービスに特別なさらなるメッセージの形態をとる。
【０２６１】
統合されたＮＢＳサービス実施形態において、任意のＣＭ１０４がネットの所有者を想定することを可能にすることが望ましい。ＣＭ１０４の選択は、ネット参加者の多くに近接している、サービスプロバイダインターシステムネットワークについての利用可能な品質などの要素に基づいて動的に決定される。同様にして、ＳＩＰリダイレクトサーバ２３６は、任意のＣＤ３５２を適切なＭＣＵのＳＩＰユーザエージェントサーバに再先導したり、及び／又は、必要に応じて、ＣＤ３５２を他のＳＩＰ再先導サーバに転送することができる。
【０２６２】
統合されたＮＢＳサービスの実施形態において、ネットのネットアドレスは、ＮＢＳシステムを通じて意味をもっている。その結果、１つ以上のトップレベルＳＩＰサーバ２３６は、インバイト要求を再先導するとともに、ネット参加者を適切なＭＣＵノード２０８に配布する役目をもつ。トップレベルＳＩＰサーバ２３６は、共通のユーザ及びネットデータベース２３２を共有し、異なるネットワーク出会い点において同様の機能と再先導の決定を提供する。その結果、ＣＤ３５２に端を発するインビテーションの再先導は、複数のＣＭ１０４の設置を単一の均質なＮＢＳサービスに統合することを可能にする重要かつ決定的な抽象レイヤを提供する。
【０２６３】
統合されたＮＢＳサービスにおいて、システムは、ＭＣＵノードマネージャ２５６、ＳＩＰユーザエージェントサーバを含む、ＭＣＵ２５２の関連するセット（“ＭＣＵクラスタ”と略称される）、によって提供される機能を反復することによって縮小される。単一のデータベース２３２及び管理インタフェース２４８はシステムの全ての要素によって共有される。
【０２６４】
ＣＤ３５２がそのような統合されたシステムにおいて参加するプロセスは、単一のＣＭ１０４設置からなるシステムにおいて使用されるそれと実質的に同じである。ＣＤ３５２は、まず、すべてのＳＩＰ要求をトップレベル（今ではグローバル）ＳＩＰ再先導サーバ２３６に送信する。再先導サーバ２３６は、ＳＩＰ機構を介して、要求するＣＤ３５２を適切な送り先に再先導する。ネットに参加するためのインバイト要求の場合には、送り先は、当該ネットに対する現在の責任をもつＭＣＵノード２０８に関連するＳＩＰユーザエージェントサーバ２５２である。ＣＤ３５２に利用可能なネットの現在のリストを要求するインバイトの場合には、送り先は、当該要求に応答可能な任意のユーザエージェントである。
【０２６５】
一方、再先導サーバ２３６は、実装に特有のプロトコル及び／又はメッセージ規約を用いてアプリケーション間のメッセージのやり取りを介して付加的なメッセージをＭＣＵ２５２と交換する。統合化されていない場合には、再先導サーバ２３６がそれが受信する各合法的なインバイト要求に対する送り先を決定することを確実にするために特別な開始アクションが必要である。一実施形態では、トップレベル再先導サーバ２３６に存在するＳＩＰ登録を有する。また、トップレベルサーバは、システムデータベースに照会し、各インビテーション要求をその中に含まれるネット定義にマッピングすることを企てる。
【０２６６】
ＣＤ３５２は、暗号化されたネットブロードキャスト通信を提供する。ネットユーザの選択により、特定のネットを関して送信される音声及びデータは、送信するＣＤ３５２で暗号化され、かつ、ネットに関する他のすべてのＣＤによって復号化される。暗号化は、エンド対エンド、すなわち、ＣＤから他へ、である。ネット通信は概して、ＮＢＳ可能なＣＤに組み込まれた商用の暗号化アルゴリズムによって暗号化される。ＣＤ３５２がネットを暗号化されたものとして取り扱うかあるいは暗号化されていないものとして取り扱うかの選択は、ネットユーザの裁量による。すなわち、ＣＭ１０４の導入は必要ではない。
【０２６７】
ユーザはそのネットに関して送信／受信されるトラフィックが暗号化／復号化されて送信／受信されることを好むかどうかについてネットごとに選択する。ユーザは、例えば、電話キーパッドを使用してネットに対する暗号化鍵を入力する能力が与えられる。ユーザはすなわち、そのネットに対して選択した暗号化オプションを有し、同じ暗号化鍵を使用する、ネットの他のユーザと暗号化された通信を行なうことができる。
【０２６８】
ユーザは、ユーザが任意の時間にＣＤ３５２に入力したネット鍵に対するネットトラフィックの暗号化をイネーブルまたはデセーブルにする。メディアトラフィックは、ネットユーザによって共有される対称的な鍵（トラフィック暗号化鍵、またはＴＥＫ）を使用することによって対称に暗号化される。ネットトラフィック暗号化鍵は、ネットユーザまたはネット管理者によってオフラインで生成された後、手動で各通信装置に鍵を入力するネット参加者に安全に配布される。鍵は、新たな鍵が生成されて以前のネットＴＥＫを交換するためにネットユーザに配布されるまで、特定のネットを介してメディアトラフィックに対して使用される。
【０２６９】
ＣＤ３５２は、ＣＭ１０４から受信したメッセージを介してそれが特定のネットのメンバであることを通知される。特定のネットに対するネット管理者は、ネットは暗号化される意図があることを示す忠告フラグを設定する。この表示は概して助言的なものであり、必ずしもネットに関する通信が実際に暗号化されることを権威をもって示すものではない。ＣＤ３５２ユーザインタフェースは、そのネットに対する暗号化された忠告フラグがＣＭ１０４によって受信されたかどうかとは無関係に、ユーザが任意のネットを暗号化されたネットとして指定することを可能にし、ユーザがＣＤ３５２からネットＴＥＫを入力することを可能にする。
【０２７０】
ＣＤ３５２は、最小及び最大の鍵の長さを強要する。ＣＤ３５２は、鍵とともに鍵チェックサムを入力するとともに、提供されている場合には、入力された鍵に対するチェックサムをチェックするための手段を提供する。チェックサムが入力されない場合には、ＣＤ３５２がチェックサムを計算し、それを、ユーザに対する表示のために利用可能とする。ＣＤ３５２は、初期の鍵入力の後に、必ずしもＣＤ３５２表示上に鍵を表示する必要がない。
【０２７１】
所定のネットに対して鍵が首尾よく入力されると、ネット上のメディア送信は、特定の鍵を用いて暗号化され、ネット上で受信した全てのトラフィックは、特定の鍵を使用して復号化される。暗号化されたトラフィックは、遅い同期（すでに進行中の送信に対する同期）を可能にするために、そして、送信者と受信者とが同一のトラフィック暗号化鍵を使用していることを確認するために、ＣＤ３５２が暗号化／復号化プロセスを同期させることを可能にする付加的なヘッダを含む。ＣＤ３５２が、それが暗号化されているものとして指定されていないネット上で暗号化されたトラフィック（暗号化ヘッダの存在によって検出される）を受信したならば、ＣＤ３５２は、それは、ユーザに対して暗号化されたトラフィックを受信しており、トラフィック（音響を弱めるかあるいはデータ出力を抑制せよ）を出力しないことを示す。同様にして、ＣＤ３５２が、それが、暗号化するべく構成される、ネット上で暗号化されていないメディアトラフィックを受信するならば、あるいは、トラフィックが正しく復号化されない（例えば、鍵が一致しない）ならば、ＣＤ３５２は、ユーザに警告してトラフィックを閉じる。
【０２７２】
暗号化されたネットに対する鍵は、単にランダム（二進）数である。概して、鍵は、ネットにおける１つの関係者によって生成されるか、あるいは、当該ネットの管理者によって生成され、ネット参加者に安全に配布される。鍵の配布ポリシーは、現在のところネットユーザに委ねられているので、ネットセキュリティの妥協の源となっている。すなわち、ネット暗号化鍵は、ＰＧＰ暗号化Ｅメール、などの安全な手段を使用してネット参加者に配布されることが望ましい。セキュリティマネージャ２０（図１）は、共通のネット鍵に対する中央記憶部を提供する。標準電話呼または対面会議などの他の方法も可能である。鍵は、ＳＩＰ認証のために通信装置内に埋め込まれたＰＧＰ秘密鍵を使用して、自動的にＣＤに配布される。
【０２７３】
前記した好ましい実施形態の説明は、当業者が本発明を製造または使用することを可能にするために提供される。これらの実施形態に対する種々の変形例は、当業者にとって容易に明らかであり、ここに定義された一般的な原理は、発明能力を使用することなしに適用される。本発明は、ここに示された実施形態に限定されることはなく、ここに開示された原理及び新規な特徴に一致した最も広い権利範囲が与えられるべきである。
【０２７４】
本発明の他の特徴及び利点は次の請求の範囲に記載される。
【図面の簡単な説明】
本発明の特徴及び利点は、図面を参照した以下の詳細な説明から明らかになる。ここで、同じ参照文字は明細書全体に渡って同じものを意味する。
【図１】
ネットワークブロードキャストシステムを示す。
【図２】
ＮＢＳネット及び通信装置がどのように通信マネージャ（ＣＭ）と相互作用するかを示す。
【図３】
ＣＭの機能的なブロック図を示す。
【図４】
ＮＢＳ  ＳＩＰシグナリングプロトコルスタックの一例を示す。
【図５】
ＮＢＳメディアシグナリングプロトコルスタックを示す。
【図６】
リアルタイムプロトコル音声メディアプロトコルスタックを示す。
【図７】
ＵＤＰ音声メディアプロトコルスタックを示す。
【図８】
メディアトラフィックプロトコルスタックを示す。
【図９】
ＤＮＳクライアントプロトコルスタックを示す。
【図１０】
ＣＤのグループサービスモジュール５００のハイレベル機能を示す。
【図１１】
ＳＩＰ呼シグナリング３５０を示す。
【図１２】
メディアシグナリングメッセージシーケンスを示す。
【図１３】
休止に関するメディアシグナリングメッセージのシーケンスを示す。
【図１４】
ＮＢＳメディアシグナリングメッセージを示す。
【図１５】
ＣＭ１０４の状態遷移図を示す。
【図１６】
ＣＭ１０４の状態遷移図を示す、図１５の続きである。
【図１７】
ＣＤ３５２の状態遷移図を示す。
【符号の説明】
１０  グループ通信システム
１２，１４，１６，１７  通信装置
１８  通信マネージャ
２０  セキュリティマネージャ
２６  インターネット
３２  モデムバンク
３４  ＮＢＳ端末又は管理者
【図１】
2004500774.tif 000003
【図２】
2004500774.tif 000004
【図３】
2004500774.tif 000005
【図４】
2004500774.tif 000006
【図５】
2004500774.tif 000007
【図６】
2004500774.tif 000008
【図７】
2004500774.tif 000009
【図８】
2004500774.tif 000010
【図９】
2004500774.tif 000011
【図１０】
2004500774.tif 000012
【図１１】
2004500774.tif 000013
【図１２】
2004500774.tif 000014
【図１３】
2004500774.tif 000015
【図１４】
2004500774.tif 000016
【図１５】
2004500774.tif 000017
【図１６】
2004500774.tif 000018
【図１７】
2004500774.tif 000019
【国際公開パンフレット】
2004500774.tif 000020
2004500774.tif 000021
2004500774.tif 000022
2004500774.tif 000023
2004500774.tif 000024
2004500774.tif 000025
2004500774.tif 000026
2004500774.tif 000027
2004500774.tif 000028
2004500774.tif 000029
2004500774.tif 000030
2004500774.tif 000031
2004500774.tif 000032
2004500774.tif 000033
2004500774.tif 000034
2004500774.tif 000035
2004500774.tif 000036
2004500774.tif 000037
2004500774.tif 000038
2004500774.tif 000039
2004500774.tif 000040
2004500774.tif 000041
2004500774.tif 000042
2004500774.tif 000043
2004500774.tif 000044
2004500774.tif 000045
2004500774.tif 000046
2004500774.tif 000047
2004500774.tif 000048
2004500774.tif 000049
2004500774.tif 000050
2004500774.tif 000051
2004500774.tif 000052
2004500774.tif 000053
2004500774.tif 000054
2004500774.tif 000055
2004500774.tif 000056
2004500774.tif 000057
2004500774.tif 000058
2004500774.tif 000059
2004500774.tif 000060
2004500774.tif 000061
2004500774.tif 000062
2004500774.tif 000063
2004500774.tif 000064
2004500774.tif 000065
2004500774.tif 000066
2004500774.tif 000067
2004500774.tif 000068
2004500774.tif 000069
2004500774.tif 000070
2004500774.tif 000071
2004500774.tif 000072
2004500774.tif 000073
2004500774.tif 000074
2004500774.tif 000075
2004500774.tif 000076
2004500774.tif 000077
2004500774.tif 000078
2004500774.tif 000079
2004500774.tif 000080
2004500774.tif 000081
2004500774.tif 000082
2004500774.tif 000083
2004500774.tif 000084
2004500774.tif 000085
2004500774.tif 000086
2004500774.tif 000087
2004500774.tif 000088
2004500774.tif 000089
2004500774.tif 000090
2004500774.tif 000091
2004500774.tif 000092
2004500774.tif 000093
2004500774.tif 000094
2004500774.tif 000095
2004500774.tif 000096
2004500774.tif 000097
2004500774.tif 000098
2004500774.tif 000099
2004500774.tif 000100
2004500774.tif 000101
2004500774.tif 000102
2004500774.tif 000103
2004500774.tif 000104
【国際公開パンフレット（コレクトバージョン）】
2004500774.tif 000105
【国際公開パンフレット（コレクトバージョン）】
2004500774.tif 000106
【国際調査報告】
2004500774.tif 000107
2004500774.tif 000108
2004500774.tif 000109
2004500774.tif 000110
2004500774.tif 000111
2004500774.tif 000112
2004500774.tif 000113